(57)【要約】      （修正有）【課題】技術者が用量命令メタデータを取得しながら医学的用量命令を効率的に調製することを可能にする、効率の良いワーク・フローを容易にするワーク・ステーションを提供する。【解決手段】ワーク・ステーションは、カメラ・スタンドを含むことができる。このカメラ・スタンドは、カメラを囲むハウジングと、その中の１つまたは複数の光源とを含むことができる。したがって、カメラおよび光源は、医学的用量調製ステージング領域で、医学的用量調製ステージング領域の医学的用量調製画像を取り込むように方向付けられることがある。カメラ・スタンドは、医学的用量調製ステージング領域に対してカメラおよび光源を配置するために複数の位置に位置決め可能である調整可能な支持具を含むことができる。医学的容器係合機構を含む、着脱可能なトレイを有する基部が設けられてもよい。【選択図】図１
2018064986.tif 000002
【特許請求の範囲】
【請求項１】
医学的用量調製管理のためのシステム（１０）において使用するためのワーク・ステーション（４０）であって、
基部（９０）と、それに対して配置された薬剤調製ステージング領域（８６）と、
前記薬剤調製ステージング領域（８６）の少なくとも一部分を包含する撮像野（８４）を有する撮像デバイス（８０）であって、ハウジング（２１０）内に少なくとも部分的に位置する撮像デバイス（８０）と、
前記ハウジング（２１０）内に配置された少なくとも１つの光源（２３０）であって、前記薬剤調製ステージング領域（８６）に向かう方向に前記ハウジング（２１０）から光を放射するように動作可能な少なくとも１つの光源（２３０）と、
前記撮像デバイス（８０）を前記基部（９０）に対して支持可能に配置するための、前記基部（９０）と前記ハウジング（２１０）の間に延在する支持部材（９２）と
を備えるワーク・ステーション（４０）。
【請求項２】
前記撮像デバイス（８０）と前記薬剤調製ステージング領域（８６）の間に配置された透明シールド（２１６）であって、前記撮像デバイス（８０）の少なくともレンズ（２２６）に対応する前記撮像デバイス（８０）の少なくとも一部分を覆い、前記撮像野（８４）が前記ハウジング（２１０）の開口（２１４）を通って延在する、透明シールド（２１６）と
をさらに備える、請求項１に記載のワーク・ステーション（４０）。
【請求項３】
前記撮像野（８４）が前記ハウジング（２１０）の開口（２１４）を通って延在し、前記透明シールド（２１６）が前記開口（２１４）の少なくとも一部分を覆う、請求項２に記載のワーク・ステーション（４０）。
【請求項４】
前記透明シールド（２１６）および前記ハウジング（２１０）が密閉空間（２１８）を画定する、請求項２または３に記載のワーク・ステーション（４０）。
【請求項５】
前記透明シールド（２１６）および前記ハウジング（２１０）が、前記密閉空間（２１８）のまわりに配置された連続した外面を画定する、請求項２から４のいずれか一項に記載のワーク・ステーション（４０）。
【請求項６】
前記撮像デバイス（８０）と前記薬剤調製ステージング領域（８６）の間に配置された第１の偏光フィルタ（２２２）
をさらに備える、請求項１から５のいずれか一項に記載のワーク・ステーション（４０）。
【請求項７】
前記光源（２３０）と前記薬剤調製ステージング領域（８６）の間に配置された第２の偏光（２２４）フィルタ
をさらに備える、請求項６に記載のワーク・ステーション（４０）。
【請求項８】
前記第１の偏光フィルタ（２２２）と前記第２の偏光（２２４）フィルタは、重複しない関係で配置される、請求項７に記載のワーク・ステーション（４０）。
【請求項９】
前記第１の偏光フィルタ（２２２）および前記第２の偏光フィルタ（２２４）は垂直な偏光方位を有する、請求項７または８に記載のワーク・ステーション（４０）。
【請求項１０】
前記透明シールド（２１６）の少なくとも一部分が前記第１の偏光フィルタまたは第２の偏光フィルタ（２２２、２２４）のうちの少なくとも１つを備える、請求項７から９のいずれか一項に記載のワーク・ステーション（４０）。
【請求項１１】
前記撮像デバイス（８０）が前記ハウジング開口（２１４）の中央領域内に配置され、周辺領域が前記中央領域のまわりに延在し、複数の光源（２３０）が前記周辺領域内に配置される、請求項２から１０のいずれか一項に記載のワーク・ステーション（４０）。
【請求項１２】
前記薬剤調製ステージング領域（８６）が前記基部（９０）によって少なくとも部分的に画定され、前記基部（９０）が長さと幅とを有し、前記周辺領域が前記基部（９０）の前記長さに対応する第１の方向に少なくとも延在する、請求項１１に記載のワーク・ステーション（４０）。
【請求項１３】
前記周辺領域が、前記基部（９０）の前記幅または前記基部（９０）から延在する前記医学的用量調製ステージング領域（８６）の高さのうちの１つに対応する第２の方向に少なくとも延在する、請求項１２に記載のワーク・ステーション（４０）。
【請求項１４】
前記撮像デバイス（８０）によって出力されたビデオ・データ・ストリームからの医学的用量調製画像の取り込みを開始するために、ユーザ入力を受け取るためのユーザ制御デバイス（１３０）
をさらに備え、
前記少なくとも１つの光源（２３０）の強度が、前記医学的用量調製画像の前記取り込みの後に第１の所定の期間で放射される光の修正された強度に放射される光のデフォルト強度から自動的に修正される、請求項１から１３のいずれか一項に記載のワーク・ステーション（４０）。
【請求項１５】
前記少なくとも１つの光源（２３０）が、前記第１の所定の期間の後の第２の所定の期間に、前記光の修正された強度から前記光のデフォルト強度に自動的に戻される、請求項１４に記載のワーク・ステーション（４０）。
【請求項１６】
前記撮像デバイス（８０）が少なくとも１つの固定された光学設定を有し、前記少なくとも１つの固定された光学設定があらかじめ設定される、請求項１から１５のいずれか一項に記載のワーク・ステーション（４０）。
【請求項１７】
前記あらかじめ設定された、固定された光学設定は、前記医学的用量調製ステージング領域（８６）のほぼ全体を包含するフィールドの深さに対応する、請求項１６に記載のワーク・ステーション（４０）。
【請求項１８】
前記支持部材（９２）が、前記薬剤調製ステージング領域（８６）に対して少なくとも第１の位置および第２の位置に選択的に位置決め可能である、請求項１から１７のいずれか一項に記載のワーク・ステーション（４０）。
【請求項１９】
前記支持部材（９２）が前記第１の位置と前記第２の位置の間で移動可能である、請求項１８に記載のワーク・ステーション（４０）。
【請求項２０】
前記支持部材（９２）が、前記薬剤調製ステージング領域（８６）に対して複数の異なる位置に選択的に位置決め可能である、請求項１８または１９に記載のワーク・ステーション（４０）。
【請求項２１】
前記支持部材（９２）が、前記基部（９０）に取り付けられた第１の部分（２３４）と、前記ハウジング（２１０）に取り付けられた第２の部分（２３６）とを備え、前記第２の部分（２３６）が、前記第１の部分（２３４）に対して前記第１の位置と前記第２の位置の間で移動可能である、請求項１８から２０のいずれか一項に記載のワーク・ステーション（４０）。
【請求項２２】
前記第１の部分（２３４）が蝶番式接着により前記第２の部分（２３６）に接続される、請求項２１に記載のワーク・ステーション（４０）。
【請求項２３】
前記第１の部分（２３４）および前記第２の部分（２３６）が前記第１の位置と前記第２の位置の間で枢動可能に配置可能である、請求項２１または２２に記載のワーク・ステーション（４０）。
【請求項２４】
前記支持部材（９２）が前記第１の位置にあるとき、前記撮像野（８４）が、前記撮像デバイス（８０）と前記基部（９０）の間に延在して前記医学的用量調製ステージング領域（８６）の少なくとも一部分を包含し、前記支持部材（９２）が前記第２の位置にあるとき、前記撮像野（８４）は、前記基部（９０）の前記支持面と平行な方向に延在して前記医学的用量調製ステージング領域（８６）の少なくとも一部分を包含する、請求項１８から２３のいずれか一項に記載のワーク・ステーション（４０）。
【請求項２５】
前記第１の位置と前記第２の位置の間の前記支持部材（９２）の移動が緩衝される、請求項１８から２４のいずれか一項に記載のワーク・ステーション（４０）。
【請求項２６】
前記支持部材（９２）内に少なくとも部分的に配置される連結具（２６８）であって、信号通信経路および電力通信経路のうちの少なくとも１つを含む連結具（２６８）
をさらに備える、請求項１から２５のいずれか一項に記載のワーク・ステーション（４０）。
【請求項２７】
前記連結具（２６８）がプロセッサと通信動作可能である、請求項２６に記載のワーク・ステーション（４０）。
【請求項２８】
前記基部（９０）が長さと幅とを有し、前記支持部材（９２）が、前記幅に沿って延在する前記基部（９０）の縁に隣接して前記基部（９０）から延在する、請求項１から２７のいずれか一項に記載のワーク・ステーション（４０）。
【請求項２９】
前記ワーク・ステーション（４０）が層流フード内に配置され、空気の流れが前記基部（９０）の前記幅に対応する方向と平行である、請求項２８に記載のワーク・ステーション（４０）。
【請求項３０】
前記基部（９０）に対して着脱可能に配置可能な支持プラットフォーム（２５６）であって、前記薬剤調製ステージング領域（８６）を画定し、支持プラットフォーム（２５６）の支持面（２６２）は、複数の薬剤容器係合機構を画定する、支持プラットフォーム（２５６）
をさらに備える、請求項１から２９のいずれか一項に記載のワーク・ステーション（４０）。
【請求項３１】
前記複数の薬剤容器係合機構が、前記支持プラットフォーム（２５６）の長さに対応する第１の方向に延在する少なくとも１つのチャネル（２６６）を備える、請求項３０に記載のワーク・ステーション（４０）。
【請求項３２】
前記少なくとも１つのチャネル（２６６）が前記支持プラットフォーム（２５６）の前記支持面（２６２）の前記長さほぼ全体に沿って延在し、前記複数の薬剤容器係合機構が、前記支持プラットフォーム（２５６）の幅に対応する第２の方向に延在する少なくとも１つの溝（２６４）を備え、前記少なくとも１つの溝（２６４）が、前記支持プラットフォーム（２５６）の前記支持面（２６２）の前記幅ほぼ全体に沿って延在する、請求項３１に記載のワーク・ステーション（４０）。
【請求項３３】
前記支持プラットフォーム（２５６）が耐ＵＶ材料から作製される、請求項３０から３２のいずれか一項に記載のワーク・ステーション（４０）。
【請求項３４】
前記撮像デバイス（８０）が前記撮像野（８４）のビデオ・データ・ストリームを出力するように動作可能であり、
プロセッサが、前記撮像野（８４）の前記ビデオ・データ・ストリームを受け取るために、前記撮像デバイス（８０）と動作可能に通信し、
ユーザ制御デバイス（１３０）が、前記ユーザ制御デバイス（１３０）で受け取られたユーザ入力に応答して前記ビデオ・データ・ストリームからの医学的用量調製画像の取り込みを開始するために、前記プロセッサと動作可能に通信し、
重量計が、前記プロセッサと動作可能に通信し、前記薬剤調製ステージング領域（８６）内で支持可能に配置される薬剤容器（１００）に対応する重量を出力するように動作可能であり、
前記ユーザ入力の受け取り時、前記重量が、前記医学的用量調製画像の前記取り込みとほぼ同時に前記重量計から前記プロセッサによって記録される、
請求項１から３３のいずれか一項に記載のワーク・ステーション（４０）。
【請求項３５】
前記プロセッサと通信動作可能であるメモリ
をさらに備え、
前記重量および前記医学的用量調製画像が前記メモリに格納される、請求項３４に記載のワーク・ステーション（４０）。
【請求項３６】
前記プロセッサが前記薬剤容器（１００）の予想重量と前記重量を比較するように動作可能であり、前記プロセッサは前記予想重量に対する前記重量の偏差を計算するように動作可能であり、前記偏差は、前記重量および前記医学的用量調製画像とともに前記メモリに関連付けて格納される、請求項３５に記載のワーク・ステーション（４０）。
【請求項３７】
前記偏差が閾値偏差と比較され、前記偏差が閾値偏差を超えるとき、警告がユーザに提供される、請求項３６に記載のワーク・ステーション（４０）。
【請求項３８】
前記基部（９０）、前記撮像デバイス（８０）、および前記重量計が、移動のために単一ユニットとして相互接続される、請求項３４から３７のいずれか一項に記載のワーク・ステーション（４０）。
【請求項３９】
前記基部（９０）に対して配置され、基準平面を画定する支持面（２６２）と、
前記支持面（２６２）内で画定され、前記基準平面から第１の深さ延在する少なくとも１つの溝（２６４）と、
前記支持面（２６２）内で画定され、前記基準平面から第２の深さ延在する少なくとも１つのチャネル（２６６）と、
をさらに備え、
前記溝（２６４）および前記チャネル（２６６）が、前記薬剤調製ステージング領域（８６）内に配置された薬剤容器（１００）と係合するように動作可能である、請求項１から２９のいずれか一項または請求項１〜２９のいずれか一項に記載のワーク・ステーション（４０）。
【請求項４０】
前記第１の深さが前記第２の深さよりも小さく、前記溝（２６４）が、前記基準平面から前記第１の深さまで延在する第１の凹状面を備える、請求項３９に記載のワーク・ステーション（４０）。
【請求項４１】
前記チャネル（２６６）が、前記基準平面から前記第２の深さまで延在する第２の凹状面を備える、請求項４０に記載のワーク・ステーション（４０）。
【請求項４２】
前記第１の凹状面が、前記第２の凹状面の第２の曲率半径よりも大きい第１の曲率半径を有する、請求項４１に記載のワーク・ステーション（４０）。
【請求項４３】
前記複数の溝（２６４）のうちの少なくとも１つが前記チャネル（２６６）のうちの少なくとも１つに垂直に配置される、請求項４１または４２に記載のワーク・ステーション（４０）。
【請求項４４】
前記複数の溝（２６４）のうちの少なくとも１つが、前記支持面（２６２）の幅に対応する第１の方向に前記支持面（２６２）のほぼ全部にわたって延在し、前記複数のチャネル（２６６）のうちの少なくとも１つが、前記支持面（２６２）の長さに対応する第２の方向に前記支持面（２６２）のほぼ全部にわたって延在する、請求項３９から４３のいずれか一項に記載のワーク・ステーション（４０）。
【請求項４５】
前記撮像デバイスが、前記薬剤調製ステージング領域（８６）に対して前記撮像デバイスを調整可能に位置決めするために、ジンバル（３２０）で前記支持部材（９２）と支持可能に係合する、請求項１から４４のいずれか一項に記載のワーク・ステーション（４０）。
【請求項４６】
前記ジンバル（３２０）が、前記支持部材（９２）に固着された装着構造（３１０）に装着される、請求項４５に記載のワーク・ステーション（４０）。
【請求項４７】
前記装着構造（３１０）が、シート材料から製作された部材を少なくとも部分的に備える、請求項４６に記載のワーク・ステーション（４０）。
【請求項４８】
前記支持部材（９２）または前記装着構造（３１０）のうちの少なくとも１つが、許容差を有する接続を含み、前記許容差を有する接続が、前記装着構造（３１０）に対する前記撮像デバイスの位置合わせに関する撮像許容差よりも大きい接続許容差を含む、請求項４５から４７のいずれか一項に記載のワーク・ステーション（４０）。
【請求項４９】
前記ジンバル（３２０）が、前記接続許容差と前記画像許容差の差に少なくとも対応する可動域によって調整可能である、請求項４５から４８のいずれか一項に記載のワーク・ステーション（４０）。
【請求項５０】
医学的用量調製管理のためのシステム（１０）において使用するためのワーク・ステーション（４０）であって、
薬剤容器（１００）と支持可能に係合するように動作可能な薬剤調製ステージング領域（８６）と、
前記薬剤調製ステージング領域（８６）の少なくとも一部分を包含する撮像野（８４）を有する撮像デバイス（８０）であって、ハウジング（２１０）内に少なくとも部分的にあり、少なくとも１つの固定された光学設定を有する撮像デバイス（８０）と、
前記ハウジング（２１０）内に配置された少なくとも１つの光源（２３０）であって、前記薬剤調製ステージング領域（８６）に向かう方向に前記ハウジング（２１０）から光を放射するように動作可能な少なくとも１つの光源（２３０）と、
前記撮像デバイス（８０）と前記薬剤調製ステージング領域（８６）の間に配置された透明シールド（２１６）であって、前記撮像デバイス（８０）の少なくともレンズ（２２６）に対応する前記撮像デバイス（８０）の少なくとも一部分を覆う透明シールド（２１６）と
を備えるワーク・ステーション（４０）。
【請求項５１】
前記撮像野（８４）が前記ハウジング（２１０）の開口（２１４）を通って延在する、請求項５０に記載のワーク・ステーション（４０）。
【請求項５２】
前記透明シールド（２１６）が前記開口（２１４）の少なくとも一部分を覆う、請求項５１に記載のワーク・ステーション（４０）。
【請求項５３】
前記透明シールド（２１６）が前記開口（２１４）のほぼ全部を覆う、請求項５２に記載のワーク・ステーション（４０）。
【請求項５４】
前記透明シールド（２１６）および前記ハウジング（２１０）が密閉空間（２１８）を画定する、請求項５０から５３のいずれか一項に記載のワーク・ステーション（４０）。
【請求項５５】
前記透明シールド（２１６）および前記ハウジング（２１０）が、前記密閉空間（２１８）のまわりに配置された連続した外面を画定する、請求項５４に記載のワーク・ステーション（４０）。
【請求項５６】
前記撮像デバイス（８０）と前記薬剤調製ステージング領域（８６）の間に配置された第１の偏光フィルタ（２２２）
をさらに備える、請求項５０から５５のいずれか一項に記載のワーク・ステーション（４０）。
【請求項５７】
前記光源（２３０）と前記薬剤調製ステージング領域（８６）の間に配置された第２の偏光フィルタ（２２４）
をさらに備える、請求項５６に記載のワーク・ステーション（４０）。
【請求項５８】
前記第１の偏光フィルタ（２２２）と前記第２の偏光フィルタ（２２４）は、重複しない関係で配置される、請求項５７に記載のワーク・ステーション（４０）。
【請求項５９】
前記第１の偏光フィルタ（２２２）および前記第２の偏光フィルタ（２２４）は垂直な偏光方位を有する、請求項５７または５８に記載のワーク・ステーション（４０）。
【請求項６０】
前記透明シールド（２１６）の少なくとも一部分が前記第１の偏光フィルタまたは第２の偏光フィルタ（２２２、２２４）のうちの少なくとも１つを備える、請求項５６から５９のいずれか一項に記載のワーク・ステーション（４０）。
【請求項６１】
前記撮像デバイス（８０）が前記ハウジング開口（２１４）の中央領域内に配置され、周辺領域が前記中央領域のまわりに延在し、複数の光源（２３０）が前記周辺領域内に配置される、請求項５１から６０のいずれか一項に記載のワーク・ステーション（４０）。
【請求項６２】
前記薬剤調製ステージング領域（８６）が、長さと幅とを有する基部（９０）によって少なくとも部分的に画定される、請求項５１から６１のいずれか一項に記載のワーク・ステーション（４０）。
【請求項６３】
前記周辺領域が、前記基部（９０）の前記長さに対応する第１の方向に少なくとも延在する、請求項６２に記載のワーク・ステーション（４０）。
【請求項６４】
前記周辺領域が、前記基部（９０）の前記幅または前記基部（９０）から延在する前記医学的用量調製ステージング領域（８６）の高さのうちの１つに対応する第２の方向に少なくとも延在する、請求項６３に記載のワーク・ステーション（４０）。
【請求項６５】
前記撮像デバイス（８０）によって出力されたビデオ・データ・ストリームからの医学的用量調製画像の取り込みを開始するために、ユーザ入力を受け取るためのユーザ制御デバイス（１３０）
をさらに備え、
前記少なくとも１つの光源（２３０）の強度が、前記医学的用量調製画像の前記取り込みの後に第１の所定の期間で放射される光の修正された強度に放射される光のデフォルト強度から自動的に修正される、請求項５０から６４のいずれか一項に記載のワーク・ステーション（４０）。
【請求項６６】
前記少なくとも１つの光源（２３０）が、前記第１の所定の期間の後の第２の所定の期間に、前記光の修正された強度から前記光のデフォルト強度に自動的に戻される、請求項６５に記載のワーク・ステーション（４０）。
【請求項６７】
少なくとも１つの固定された光学設定があらかじめ設定される、請求項５０から６６のいずれか一項に記載のワーク・ステーション（４０）。
【請求項６８】
前記あらかじめ設定された、固定された光学設定は、前記医学的用量調製ステージング領域（８６）全体を実質的に包含するフィールドの深さに対応する、請求項６７に記載のワーク・ステーション（４０）。
【請求項６９】
前記少なくとも１つの固定された光学設定がアパーチャ設定および焦点設定のうちの少なくとも１つを含む、請求項６７または６８に記載のワーク・ステーション（４０）。
【請求項７０】
医学的用量調製管理のためのシステム（１０）において使用するためのワーク・ステーション（４０）であって、
薬剤容器（１００）と支持可能に係合するように動作可能な薬剤調製ステージング領域（８６）と、
前記薬剤調製ステージング領域（８６）の少なくとも一部分を包含する撮像野（８４）を有する撮像デバイス（８０）であって、ハウジング（２１０）内に少なくとも部分的に位置する撮像デバイス（８０）と、
前記ハウジング（２１０）内に配置された少なくとも１つの光源（２３０）であって、前記薬剤調製ステージング領域（８６）に向かう方向に前記ハウジング（２１０）から光を放射するように動作可能な少なくとも１つの光源（２３０）と、
前記撮像デバイス（８０）と前記薬剤調製ステージング領域（８６）の間に配置された第１の偏光フィルタ（２２２）と、
前記少なくとも１つの光源（２３０）と前記薬剤調製ステージング領域（８６）の間に配置された第２の偏光フィルタ（２２４）と
を備えるワーク・ステーション（４０）。
【請求項７１】
前記撮像野（８４）が前記ハウジング（２１０）の開口（２１４）を通って延在する、請求項７０に記載のワーク・ステーション（４０）。
【請求項７２】
前記第１の偏光フィルタ（２２２）と前記第２の偏光フィルタ（２２４）は、重複しない関係で配置される、請求項７０または７１に記載のワーク・ステーション（４０）。
【請求項７３】
前記第１の偏光フィルタ（２２２）および前記第２の偏光フィルタ（２２４）が前記ハウジング（２１０）の前記開口（２１４）の少なくとも一部分を覆う、請求項７１または７２に記載のワーク・ステーション（４０）。
【請求項７４】
前記第１の偏光フィルタ（２２２）および前記第２の偏光フィルタ（２２４）は垂直な偏光方位を有する、請求項７０から７３のいずれか一項に記載のワーク・ステーション（４０）。
【請求項７５】
前記撮像デバイス（８０）が前記ハウジング開口（２１４）の中央領域内に配置され、周辺領域が前記中央領域のまわりに延在し、複数の光源（２３０）が前記周辺領域内に配置される、請求項７１から７４のいずれか一項に記載のワーク・ステーション（４０）。
【請求項７６】
前記薬剤調製ステージング領域（８６）が、長さと幅とを有する基部（９０）によって少なくとも部分的に画定される、請求項７０から７５のいずれか一項に記載のワーク・ステーション（４０）。
【請求項７７】
前記周辺領域が、前記基部（９０）の前記幅に対応する第１の方向に少なくとも延在する、請求項７６に記載のワーク・ステーション（４０）。
【請求項７８】
前記周辺領域が、前記基部（９０）の前記長さまたは前記基部（９０）から延在する前記医学的用量調製ステージング領域（８６）の高さのうちの１つに対応する第２の方向に少なくとも延在する、請求項７７に記載のワーク・ステーション（４０）。
【請求項７９】
前記撮像デバイス（８０）が少なくとも１つの固定された光学設定を有する、請求項７０から７８のいずれか一項に記載のワーク・ステーション（４０）。
【請求項８０】
医学的用量調製管理のためのシステム（１０）において使用するためのワーク・ステーション（４０）であって、
長さと、幅とを有する基部（９０）と、
前記基部（９０）に対して配置された薬剤調製ステーション領域と、
ハウジング（２１０）内に配置され、前記薬剤調製ステージング領域（８６）の少なくとも一部分を包含する撮像野（８４）を有する撮像デバイス（８０）と、
前記撮像デバイス（８０）を前記基部（９０）に対して支持可能に配置するための、前記基部（９０）と前記ハウジング（２１０）の間に延在する支持部材（９２）であって、前記薬剤調製ステージング領域（８６）に対して少なくとも第１の位置および第２の位置に選択的に位置決め可能な支持部材（９２）と
を備えるワーク・ステーション（４０）。
【請求項８１】
前記支持部材（９２）が前記第１の位置と前記第２の位置の間で移動可能である、請求項８０に記載のワーク・ステーション（４０）。
【請求項８２】
前記支持部材（９２）が、前記薬剤調製ステージング領域（８６）に対して複数の異なる位置に選択的に位置決め可能である、請求項８０または８１に記載のワーク・ステーション（４０）。
【請求項８３】
前記支持部材（９２）が、前記基部（９０）に取り付けられた第１の部分（２３４）と、前記ハウジング（２１０）に取り付けられた第２の部分（２３６）とを備え、前記第２の部分（２３６）が、前記第１の部分（２３４）に対して前記第１の位置と前記第２の位置の間で移動可能である、請求項８１に記載のワーク・ステーション（４０）。
【請求項８４】
前記第１の部分（２３４）が蝶番式接着により前記第２の部分（２３６）に接続される、請求項８３に記載のワーク・ステーション（４０）。
【請求項８５】
前記第１の部分（２３４）および前記第２の部分（２３６）が前記第１の位置と前記第２の位置の間で枢動可能に配置可能である、請求項８３または８４に記載のワーク・ステーション（４０）。
【請求項８６】
前記基部（９０）が、前記長さおよび前記幅に沿って延在する支持面（２６２）を備える、請求項８０から８５のいずれか一項に記載のワーク・ステーション（４０）。
【請求項８７】
前記支持部材（９２）が前記第１の位置にあるとき、前記撮像野（８４）が、前記撮像デバイス（８０）と前記基部（９０）の間に延在して前記医学的用量調製ステージング領域（８６）の少なくとも一部分を包含し、前記支持部材（９２）が前記第２の位置にあるとき、前記撮像野（８４）は、前記基部（９０）の前記支持面（２６２）と平行な方向に延在して前記医学的用量調製ステージング領域（８６）の少なくとも一部分を包含する、請求項８６に記載のワーク・ステーション（４０）。
【請求項８８】
前記第１の位置と前記第２の位置の間の移動が緩衝される、請求項８０から８７のいずれか一項に記載のワーク・ステーション（４０）。
【請求項８９】
前記支持部材（９２）内に少なくとも部分的に配置された連結具（２６８）
をさらに備える、請求項８０から８８のいずれか一項に記載のワーク・ステーション（４０）。
【請求項９０】
前記連結具（２６８）が信号通信経路および電力通信経路のうちの少なくとも１つを含む、請求項８９に記載のワーク・ステーション（４０）。
【請求項９１】
前記連結具（２６８）がプロセッサと通信動作可能である、請求項８９または９０に記載のワーク・ステーション（４０）。
【請求項９２】
前記支持部材（９２）が、前記幅に沿って延在する前記基部（９０）の縁に隣接して前記基部（９０）から延在する、請求項８０から９１のいずれか一項に記載のワーク・ステーション（４０）。
【請求項９３】
前記ワーク・ステーション（４０）が層流フード内に配置され、空気の流れが前記基部（９０）の前記幅に対応する方向と平行である、請求項８０から９２のいずれか一項に記載のワーク・ステーション（４０）。
【請求項９４】
医学的用量調製管理のためのシステム（１０）において使用するためのワーク・ステーション（４０）であって、
基部（９０）と、
前記基部（９０）に対して着脱可能に配置可能な支持プラットフォーム（２５６）であって、薬剤調製ステージング領域（８６）を画定する支持プラットフォーム（２５６）と、
複数の薬剤容器係合機構を画定する前記支持プラットフォーム（２５６）の支持面（２６２）と、
前記基部（９０）に対して支持可能に係合可能であり、前記薬剤調製ステージング領域（８６）の少なくとも一部分を包含する撮像野（８４）を有する撮像デバイス（８０）と
を備えるワーク・ステーション（４０）。
【請求項９５】
前記複数の薬剤容器係合機構が、前記支持プラットフォーム（２５６）の長さに対応する第１の方向に延在する少なくとも１つのチャネル（２６６）を備える、請求項９４に記載のワーク・ステーション（４０）。
【請求項９６】
前記少なくとも１つのチャネル（２６６）が前記支持プラットフォーム（２５６）の前記支持面（２６２）の前記長さほぼ全部に沿って延在する、請求項９５に記載のワーク・ステーション（４０）。
【請求項９７】
前記複数の薬剤容器係合機構が、前記支持プラットフォーム（２５６）の幅に対応する第２の方向に延在する少なくとも１つの溝（２６４）を備える、請求項９５または９６に記載のワーク・ステーション（４０）。
【請求項９８】
前記少なくとも１つの溝（２６４）が前記支持プラットフォーム（２５６）の前記支持面（２６２）の前記幅ほぼ全部に沿って延在する、請求項９７に記載のワーク・ステーション（４０）。
【請求項９９】
前記支持プラットフォーム（２５６）が耐ＵＶ材料から作製される、請求項９４から９８のいずれか一項に記載のワーク・ステーション（４０）。
【請求項１００】
医学的用量調製管理のためのシステム（１０）において使用するためのワーク・ステーション（４０）であって、
基部（９０）と、
前記基部（９０）に対して配置され、少なくとも１つの薬剤容器（１００）と支持するように係合するように動作可能な薬剤調製ステージング領域（８６）と、
前記薬剤調製ステージング領域（８６）の少なくとも一部分を包含する撮像野（８４）を有する撮像デバイス（８０）であって、前記撮像野（８４）のビデオ・データ・ストリームを出力するように動作可能な撮像デバイス（８０）と、
前記撮像野（８４）の前記ビデオ・データ・ストリームを受け取るために、前記撮像デバイス（８０）と通信動作可能なプロセッサと、
ユーザ制御デバイス（１３０）で受け取られたユーザ入力に応答して前記ビデオ・データ・ストリームからの医学的用量調製画像の取り込みを開始するために、前記プロセッサと通信動作可能なユーザ制御デバイス（１３０）と、
前記プロセッサと動作可能に通信し、前記薬剤調製ステージング領域（８６）内で支持可能に配置される薬剤容器（１００）に対応する重量を出力するように動作可能な重量計と
を備え、
前記ユーザ入力の受け取り時、前記重量が、前記医学的用量調製画像の前記取り込みとほぼ同時に前記重量計から前記プロセッサによって記録される、ワーク・ステーション（４０）。
【請求項１０１】
前記プロセッサと通信動作可能なメモリと、
をさらに備え、
前記重量および前記医学的用量調製画像が前記メモリに格納される、請求項１００に記載のワーク・ステーション（４０）。
【請求項１０２】
前記重量および前記医学的用量調製画像が前記メモリに関連付けて格納される、請求項１０１に記載のワーク・ステーション（４０）。
【請求項１０３】
前記プロセッサが、前記重量を前記薬剤容器（１００）の予想重量と比較するように動作可能である、請求項１０１または１０２に記載のワーク・ステーション（４０）。
【請求項１０４】
前記プロセッサが、前記予想重量に対する前記重量の偏差を計算するように動作可能である、請求項１０３に記載のワーク・ステーション（４０）。
【請求項１０５】
前記偏差が、前記重量および前記医学的用量調製画像とともに前記メモリ内に関連付けて格納される、請求項１０４に記載のワーク・ステーション（４０）。
【請求項１０６】
前記偏差が閾値偏差と比較され、前記偏差が閾値偏差を超えるとき、警告がユーザに提供される、請求項１０４または１０５に記載のワーク・ステーション（４０）。
【請求項１０７】
前記基部（９０）、前記撮像デバイス（８０）、および前記重量計が、移動のために単一ユニットとして相互接続される、請求項１００から１０６のいずれか一項に記載のワーク・ステーション（４０）。
【請求項１０８】
医学的用量調製管理のためのシステム（１０）において使用するためのワーク・ステーション（４０）であって、
基部（９０）と、
前記基部（９０）に対して配置され、基準平面を画定する支持面（２６２）と、
前記支持面（２６２）に対して配置され、少なくとも前記基準平面の一部分を包含する薬剤調製ステージング領域（８６）と、
前記基部（９０）に対して支持可能に係合可能であり、前記薬剤調製ステージング領域（８６）の少なくとも一部分を包含する撮像野（８４）を有する撮像デバイス（８０）と、
前記支持面（２６２）内で画定され、前記基準平面から第１の深さ延在する少なくとも１つの溝（２６４）と、
前記支持面（２６２）内で画定され、前記基準平面から第２の深さ延在する少なくとも１つのチャネル（２６６）と、
を備え、
前記溝（２６４）および前記チャネル（２６６）が、前記薬剤調製ステージング領域（８６）内に配置された薬剤容器（１００）と係合するように動作可能である、ワーク・ステーション（４０）。
【請求項１０９】
前記第１の深さが前記第２の深さよりも小さい、請求項１０８に記載のワーク・ステーション（４０）。
【請求項１１０】
前記溝（２６４）が、前記基準平面から前記第１の深さまで延在する第１の凹状面を備える、請求項１０８または１０９に記載のワーク・ステーション（４０）。
【請求項１１１】
前記チャネル（２６６）が、前記基準平面から前記第２の深さまで延在する第２の凹状面を備える、請求項１１０に記載のワーク・ステーション（４０）。
【請求項１１２】
前記第１の凹状面が、前記第２の凹状面の第２の曲率半径よりも大きい第１の曲率半径を有する、請求項１１１に記載のワーク・ステーション（４０）。
【請求項１１３】
複数の溝（２６４）と、
複数のチャネル（２６６）と
をさらに備える、請求項１０８から１１２のいずれか一項に記載のワーク・ステーション（４０）。
【請求項１１４】
前記複数の溝（２６４）のうちの少なくとも１つが前記チャネル（２６６）のうちの少なくとも１つに垂直に配置される、請求項１１３に記載のワーク・ステーション（４０）。
【請求項１１５】
前記複数の溝（２６４）のうちの少なくとも１つが、前記支持面（２６２）の幅に対応する第１の方向に前記支持面（２６２）のほぼ全部にわたって延在する、請求項１１３または１１４に記載のワーク・ステーション（４０）。
【請求項１１６】
前記複数のチャネル（２６６）のうちの少なくとも１つが、前記支持面（２６２）の長さに対応する第２の方向に前記支持面（２６２）のほぼ全部にわたって延在する、請求項１１５に記載のワーク・ステーション（４０）。
【請求項１１７】
医学的用量調製管理のためのシステム（１０）において使用するためのワーク・ステーション（４０）であって、
長さと、幅とを有する基部（９０）と、
前記基部（９０）に対して配置された薬剤調製ステーション領域と、
ハウジング（２１０）内に配置され、前記薬剤調製ステージング領域（８６）の少なくとも一部分を包含する撮像野（８４）を有する撮像デバイス（８０）と、
前記基部（９０）に対して前記撮像デバイス（８０）を支持可能に配置するための、前記基部（９０）と前記撮像デバイス（８０）の間に延在する支持部材（９２）であって、前記撮像デバイスが、前記薬剤調製ステージング領域（８６）に対して前記撮像デバイスを調整可能に位置決めするために、ジンバル（３２０）で前記支持部材（９２）と支持可能に係合する、支持部材（９２）と
を備えるワーク・ステーション（４０）。
【請求項１１８】
前記ジンバル（３２０）が、前記支持部材（９２）に固着された装着構造（３１０）に装着される、請求項１１７に記載のワーク・ステーション（４０）。
【請求項１１９】
前記装着構造（３１０）が、シート材料からを製作された部材を少なくとも部分的に備える、請求項１１８に記載のワーク・ステーション（４０）。
【請求項１２０】
前記支持部材（９２）または前記装着構造（３１０）のうちの少なくとも１つが、許容差を有する接続を含み、前記許容差を有する接続が、前記装着構造（３１０）に対する前記撮像デバイスの位置合わせに関する撮像許容差よりも大きい接続許容差を含む、請求項１１８または１１９に記載のワーク・ステーション（４０）。
【請求項１２１】
前記ジンバル（３２０）が、前記接続許容差と前記画像許容差の差に少なくとも対応する可動域によって調整可能である、請求項１２０に記載のワーク・ステーション（４０）。
【発明の詳細な説明】
【技術分野】
【０００１】
関連出願
本出願は、２０１２年１０月２６日に出願された「ＷＯＲＫ  ＳＴＡＴＩＯＮ  ＦＯＲ  ＭＥＤＩＣＡＬ  ＤＯＳＥ  ＰＲＥＰＡＲＡＴＩＯＮ  ＳＹＳＴＥＭ」という名称の米国仮特許出願第６１／７１９，２５６号の優先権を主張するものであり、同仮特許出願は、参照によりその全体が本明細書に組み込まれる。
【背景技術】
【０００２】
多数のケア提供者は、そのケア提供者により治療される患者への投与のために医学的用量（ｍｅｄｉｃａｌ  ｄｏｓｅ）を調製する薬局を有する。この点に関して、薬局は、患者への投与のためにケア提供担当者（たとえば医師）によって命令された医学的用量命令を履行するために薬剤を調製するために処方集を用いることがある。調製されるべきいくつかの医学的用量は、薬局内の特別に構築および制御された環境（たとえば「ＩＶ室」）で調製され得る混合滅菌製品（ＣＳＰ：ｃｏｍｐｏｕｎｄｅｄ  ｓｔｅｒｉｌｅ  ｐｒｏｄｕｃｔ）を含むことがある。医学的用量を調製するプロセスは、現地の方針、政府の規制、業界団体（たとえば米国薬局方の第７９７章）、または他の適切な方針に従って実行され得る。たとえば、薬剤の調製は、一般に、医学的用量を調製する作業が課されたオペレータ（一般的には薬局の技術者）によって、層流フード、アイソレータ、または生物学的に安全なキャビネット内で行われることがある。医学的用量がひとたび調製されると、医学的用量は、患者への投与のために薬局から配給（ｄｉｓｐｅｎｓｅ）される前に薬剤師によって確認されることが必要とされることがある。
【０００３】
従来の薬局管理技術では、医学的用量命令が、用量がひとたび調製されると完成した用量に貼付されるべき医学的用量命令を示すラベルを印刷するプリンタに与えられ得る。薬局の技術者は、ラベル・プリンタからラベルを取り出し、それらのラベルを、各用量を調製するプロセスにおいて作業命令を移動する物（ｗｏｒｋ  ｏｒｄｅｒ  ｔｒａｖｅｌｅｒ）として使用することが必要とされることがある。用量がひとたび調製されると、技術者は、用量にラベルを貼付することができる。完成し、ラベルの付けられた用量は、薬剤師が、たとえば供給源成分（ｓｏｕｒｃｅ  ｉｎｇｒｅｄｉｅｎｔ）とともに、用量を調製する最中に使用される薬物容器、および／または他の材料を確認するために取っておかれることがある。この点に関して、用量を確認するために、薬剤師は、用量が調製されるクリーン・ルームに入り、用量命令に関連する材料を物理的に観察することが必要とされることがある。したがって、調製された用量の確認では、薬剤師が、防護服または保護具を着用することが求められ、これに時間と資源がかかることがある。
【０００４】
そのうえ、医学的用量命令を調製するために薬局が受けることがある唯一のきっかけは、ラベルの印刷物である。この点に関して、ラベルが紛失または損傷された場合、用量が調製されないことがある。さらに、ラベル・プリンタにおけるラベル・スタックは、何の用量が命令、調製、および／または調剤されたかについての唯一の証拠になることがあるので、優先順位を決定する作業も困難になる。したがって、物理的ラベルのみに依拠して用量を追跡した結果、用量の未調剤（ｕｎｐｒｅｐａｒｅ）、紛失、または重複がもたらされることがある。場合によっては、薬局は、当然のことながら、ラベルを複製することがあり、したがって、薬局は、すでに受け取られた他のラベルに対して各ラベルをチェックして、調製されることが必要とされる新しい用量命令をラベルが表しているかどうか判断する。この慣例が、運営費を増し薬局の効率を低下させる、薬局における管理オーバヘッドの増加をもたらすことがある。
【０００５】
そのうえ、薬品の調製に関する指示は、ＦＤＡの承認を受けた薬品用の公的文書に記録されることがあるが、薬局の技術者は、用量を調製しているとき、文書を確実に調べるとは限らないであろう。むしろ、薬局の技術者は、最も一般的な薬品に必要とされるステップを覚え、次いで、それらのステップを、特定の薬品に関連するプロトコルを確認せずに、調製されるべき他の薬品に合わせて一般化する。この点に関して、用量命令が、薬局の技術者が認識しない特定の指示を含む場合、適切な技法に関する参考文献が存在しないかまたは調べられないことがある。したがって、特別な指示を含む用量命令は、より熟練した技術者によって、またはより熟練した技術者の指導の下で、調製されなければならないことが多い。どちらの点に関しても、用量を調製するために使用されるプロトコルは、調製されている薬品についてのＦＤＡ承認文書に適合しないことがある。
【０００６】
さらに、従来の薬局管理技術では、薬局の技術者が、調製された用量および用量を作るために用いられた処方集から製品に関して保守される記録を作成する責任を担うことがある。たとえば、薬局の技術者は、ロット番号、使用期限、シリアル番号などの情報を転記する作業が課されていることがある。手作業で行う記録の作製は、薬局の非効率性に結びつくことがある労働集約的な慣例を必要とし、記録の誤りの可能性をもたらし、紙の記録がほとんど探索不可能になることがある。
【発明の概要】
【発明が解決しようとする課題】
【０００７】
医学的用量の管理の助けとなり得る医学的用量調製管理システムの実施形態が本明細書で説明される。本明細書で説明する実施形態は、医学的用量命令の調製の助けとなるために使用される１つまたは複数のワーク・ステーションを含むことができる。たとえば、ワーク・ステーションは、医学的用量命令の調製に関して技術者に指針を提供するために使用されることがあり、および／またはワーク・オーダー・ステーションは、医学的用量命令に関するデータ（たとえばメタデータ）を取り込み、収集し、もしくはまとめるために使用されることがある。この点に関して、医学的用量命令に関連するメタデータは、医学的用量命令に関連する医学的用量の患者への投与の前または後にメタデータがケア提供者にとって利用可能であり得るように、医学的用量命令に対して対応する関係として格納されることがある。メタデータは、調製された用量命令、用量命令の構成要素、または調製された用量命令もしくは用量命令の構成要素が調製された様式に関するデータを含むことができる。したがって、ワーク・ステーションで取り込まれ、収集され、またはまとめられたメタデータは、医学的用量命令を組織化する、追跡する、または別の方法で管理するために使用されることがある。したがって、医学的用量調製管理システムによって促進される利点の例としては、とりわけ、優先順位付け、組織化、追跡、および医学的用量命令に関して残される記録の改善があり得る。
【０００８】
たとえば、用量命令に関するメタデータとしては、医学的用量命令の構成要素に関連する１つもしくは複数の医学的用量調製画像、用量命令の調製中に実行されるステップ、または完成した用量命令があり得る。この点に関して、医学的用量調製画像は、医学的用量命令の調製を文書化するまたは証拠となるために使用されることがある。医学的用量調製管理システムによって取得される医学的用量調製画像の品質は、医学的用量調製管理システムにおける重要な考慮事項であり得ることが諒解されよう。
【０００９】
したがって、ワーク・ステーションの特徴および／または属性が、メタデータ（たとえば、医学的用量調製画像データを含む）を取り込みながら、収集しながら、および／またはまとめながら、医学的用量命令がワーク・ステーションで技術者によって調製され得る正確さ、速さ、および／または品質に寄与し得ることが現在認識されている。したがって、本開示の目的は、技術者が用量命令メタデータを取得しながら医学的用量命令を効率的に調製することを可能にする、効率の良いワーク・フローを容易にするワーク・ステーションを示すことである。さらに、本開示の目的は、用量命令メタデータを含む高品質医学的用量調製画像の取り込みを容易にするワーク・ステーションを示すことである。この点に関して、医学的用量の調製中の高品質用量命令メタデータの効率の良い取り込みは、患者の安全性に寄与し、薬局の効率を改善し、薬局管理の助けとなり、および／または本明細書で提示される説明において諒解され得る他の利点を提供することができる。そのうえ、本開示の目的は、ワーク・ステーションの掃除などのワーク・ステーションで実行される管理作業に関連する利点を促進し得るワーク・ステーションを示すことである。
【課題を解決するための手段】
【００１０】
したがって、医学的用量命令管理システムに関連するいくつかの態様が本明細書で説明される。本明細書で説明するさまざまな態様は、分離して、および／または本明細書で提示する態様のうちの１つもしくは複数の他の態様と組み合わせて実現され、それによって、１つまたは複数の追加の態様を構成することができる。本出願では、態様という用語は、実施形態という用語と同義で使用される。言い換えれば、本出願で説明する１つもしくは複数の態様の１つもしくは複数の特徴および／または１つもしくは複数の実施形態の１つもしくは複数の特徴は、対応する態様および／または実施形態の残りの特徴から分離され、１つまたは複数の態様および／または実施形態の別個の特徴と組み合わされて、新しい態様および／または実施形態を作り出すことができる。この点に関して、本明細書で説明する態様は、上記で説明した医学的用量管理システムのワーク・ステーションに関して使用され得る。具体的には、ワーク・ステーションは、医学的用量調製管理のためのシステムにおける使用に適合され、これに適していることがある。一態様は、医学的用量調製管理のためのワーク・ステーションの使用に関することがある。別の態様は医学的用量管理システムに関することがあり、ワーク・ステーションは、医学的用量管理システムの構成要素であることがある。
【００１１】
したがって、ワーク・ステーションは、薬剤調製ステージング領域に対して支持される撮像デバイス（たとえばデジタル・カメラ）を全体的に含むことができる。医学的用量調製ステージング領域は、長さと幅とを有する基部によって少なくとも部分的に画定され得る。すなわち、基部は、ワーク・ステーションでの医学的用量命令の調製において使用される薬剤容器などの物体を支持するための面を含むことができる。撮像デバイスは、薬剤調製ステージング領域の少なくとも一部分を包含する撮像野（ｉｍａｇｉｎｇ  ｆｉｅｌｄ）を有することができる。撮像デバイスは、医学的用量調製ステージング領域（たとえば、医学的用量命令において使用されるまたはワーク・ステーションによって調製される薬剤容器を含む）のデジタル画像データ（たとえば、静止画デジタル画像および／またはビデオ・データ・ストリーム）を取り込むように動作可能であり得る。
【００１２】
この点に関して、一態様は、少なくとも部分的にハウジング内に位置する撮像デバイスを含むことができる。次に、撮像デバイスの撮像野は、ハウジングの開口を通って延在することができる。さらに、透明シールドは、撮像デバイスと薬剤調製ステージング領域の間に配置され得る。特に、透明シールドは、撮像デバイスの少なくとも一部分（たとえば、撮像デバイスの少なくともレンズに対応する）を覆うことができる。透明シールドは、撮像デバイスの撮像野が延在する開口の少なくとも一部分またはほぼ全部にわたって延在することができる。
【００１３】
後者の点に関して、透明シールドおよびハウジングは、密閉空間（ｅｎｃｌｏｓｅｄ  ｖｏｌｕｍｅ）を画定することができる。したがって、透明シールドおよびハウジングは、密閉空間のまわりに配置された連続した外面を画定することができる。したがって、撮像デバイスは、密閉空間内に配置され得る。その結果、撮像デバイスは、密閉空間の外部の環境から保護され得る（たとえば、カメラは、流出または用量調製中もしくはワーク・ステーションの掃除中に発生し得るような液体もしくは有害物質と接触する他の可能性から隔離され得る）。
【００１４】
別の態様では、少なくとも１つの固定された光学設定を有する撮像デバイスが提供され得る。一実施形態では、固定された光学設定は、（たとえば、ワーク・ステーションの製造中に）あらかじめ設定されてもよい。固定された光学設定は、医学的用量調製ステージング領域のほぼ全体を包含するフィールドの深さをもたらすことがある（たとえば、医学的用量調製ステージング領域内の物体の画像がフィールドの深さの中に配置されるように）。さまざまな実施形態では、少なくとも１つの固定された光学設定は、アパーチャ設定、焦点設定、倍率設定、および／または他の適切な光学設定のうちの少なくとも１つに対応することがある。
【００１５】
別の態様では、少なくとも１つの光源（たとえば、１つまたは複数のＬＥＤ）が、ハウジング内に配置されることがある。したがって、光源は、薬剤調製ステージング領域に向かう方向にハウジングから光を放射するように動作可能であることがある。したがって、光源も密閉空間の外部の環境から保護されるように、光源も、密閉空間内に配置されることがある。
【００１６】
さらに別の態様では、光偏光フィルタが、（たとえば、撮像デバイスによって取り込まれる医学的用量調製画像におけるグレアを減少させるために）光源およびワーク・ステーションの撮像デバイスとともに用いられることがある。たとえば、ワーク・ステーションは、撮像デバイスと薬剤調製ステージング領域の間に配置された第１の偏光フィルタと、光源と薬剤調製ステージング領域の間に配置された第２の偏光フィルタとを含むことができる。一適用例では、透明シールド（たとえば、上記で説明した）の少なくとも一部分は、第１の偏光フィルタまたは第２の偏光フィルタのうちの少なくとも１つを備えることができる。一実施形態では、透明シールドは、両方、すなわち第１の偏光フィルタと第２の偏光フィルタとを備えることができる。一実施形態では、第１の偏光フィルタと第２の偏光フィルタは、まとめて、ハウジングの開口の少なくとも一部分を覆うことがある。第１の偏光フィルタおよび第２の偏光フィルタは重複しない関係で配置されることがあり、第１の偏光フィルタおよび第２の偏光フィルタは、垂直な偏光方位を有することがある。したがって、偏光フィルタは、薬剤用量調製ステージング領域内の物体からのグレアを減少させるために連携して機能することができる。
【００１７】
一実施形態では、撮像デバイスは、ハウジング開口の中央領域内に配置されことがあり、周辺領域は、この中央領域のまわりに延在することがある。複数の光源は、周辺領域内に（たとえば、中央領域のまわりに離隔されて）配置されることがある。この点に関して、第１の偏光フィルタは、カメラのレンズに対応する開口の一部分を覆うことがあり、第２の偏光フィルタは、光源に対応する開口の一部分を覆うことがある。
【００１８】
一実施形態では、周辺領域が、基部の幅に対応する第１の方向に少なくとも延在することがある。周辺領域は、基部の長さまたは基部から延在する医学的用量調製ステージング領域の高さのうちの１つに対応する第２の方向にも少なくとも延在することもある。たとえば、以下でより詳細に説明するように、撮像デバイスは、医学的用量調製撮像デバイスに対して複数の位置に配置されることがある。したがって、撮像デバイスの方位に応じて、周辺領域は、基部の長さに対応する方向に延在することがあり、第２の位置にあるとき、周辺領域は、（たとえば、基部に垂直に延在する）医学的用量調製ステージング領域の高さに対応する方向に延在することがある。
【００１９】
この点に関して、支持部材は、撮像デバイスを基部に対して支持可能に配置するために、基部とハウジングの間（たとえば、基部に対する撮像デバイスの複数の異なる位置の間）に延在する。すなわち、支持部材は、基部の薬剤調製ステージング領域に対して少なくとも第１の位置および第２の位置に選択的に位置決め可能であることがある。支持部材は、第１の位置と第２の位置の間で移動可能であることがある。追加または代替として、支持部材は、薬剤調製ステージング領域に対して複数の異なる位置に選択的に位置決め可能であることがある。
【００２０】
一実施形態では、支持部材は、基部に取り付けられた第１の部分と、撮像デバイスに取り付けられた第２の部分とを含むことができる。第２の部分は、第１の部分に対して第１の位置と第２の位置の間で移動可能であることがある。たとえば、第１の部分は、蝶番式接着により（ｈｉｎｇｅｄｌｙ）第２の部分に接続されることがある。したがって、第１の部分および第２の部分は、第１の位置と第２の位置の間で枢動可能に配置可能であることがある。一実施形態では、第１の位置と第２の位置の間の移動が緩衝されることがある。
【００２１】
支持部材が第１の位置にあるとき、撮像デバイスの撮像野は、医学的用量調製ステージング領域の少なくとも一部分を包含するために、撮像デバイスと基部の間に延在することができる。支持部材が第２の位置にあるとき、撮像デバイスの撮像野は、医学的用量調製ステージング領域の少なくとも一部分を包含するために、基部の支持面と平行な方向に延在することができる。
【００２２】
一実施形態では、支持部材は、基部から、幅に沿って延在する基部の縁に隣接して延在することがある。ワーク・ステーションは、層流フードなどの中に配置されてよい。したがって、層流フードからの空気の流れは、基部の幅に対応する方向と平行であることがある。すなわち、支持具は、基部を横切る空気の層流を妨げないように基部に対して位置決めされ得る（たとえば、基部のほぼ全体は、層状の（ｌａｍｉｎａｒ）空気流に曝露され得る）。
【００２３】
そのうえ、ワーク・ステーションからのワイヤ、ケーブルなどの排除および／またはその数の減少が有利となり得ることが認識されている。たとえば、ワイヤおよび／またはケーブルの減少によって、掃除を必要とする構造および面の少数化がもたらされることがある。そのうえ、層状気流フード、アイソレータ、または生物学的に安全なキャビネットが使用されるなどの封じ込め構造の場合、封じ込め構造の外部環境へのケーブルの経路指定は、封じ込め構造の適切な封じ込めレベルを維持することの困難さを示すことがある。したがって、ワーク・ステーションにおけるワイヤ、ケーブルなどの減少および／または排除によって、ワーク・ステーションを掃除する機能が改善されることがあり、ワーク・ステーションで用いられる封じ込め構造の封じ込めのレベルを維持する助けとなることがある。
【００２４】
この点に関して、一態様では、（たとえば、ワーク・ステーション内のケーブル、ワイヤなどの数を減少させるために）支持部材内に少なくとも部分的に配置される連結具（ｕｍｂｉｌｉｃａｌ）が設けられることがある。連結具は、信号通信部材と電力通信部材のうちの少なくとも１つを含むことができる。すなわち、連結具は、いくつかの導電性部材を単一ケーブルに統合して、設けることが必要なケーブルの数を減少させることができる。連結具は、プロセッサと通信動作可能である。
【００２５】
別の実施形態では、ワイヤレス技術が、（たとえば、ワイヤなどの必要性を完全になくすために）ワーク・ステーションで組み込まれることがある。すなわち、この技術は、さまざまな構成要素とプロセッサの間で信号をワイヤレスで通信するために、ワーク・ステーションに組み込まれることがある。たとえば、画像データ、照明制御データ、重量計（ｓｃａｌｅ）情報、またはワーク・ステーションのデバイスとプロセッサの間の他の通信は、ワイヤレス通信によって容易にされ得る。さらに、バッテリが、ワイヤレス動作を容易にするために、カメラ・スタンドに装備されることがある。たとえば、バッテリは、連続したワイヤレス動作を容易にするために、交換可能または再充電可能であってよい。
【００２６】
一適用例では、ワーク・ステーションの基部は、１つまたは複数の吸着カップを有する面と支持可能に係合可能であることがある。この点に関して、カメラ・スタンドは、面上にしっかりと保持され得る。そのうえ、吸着カップは、外部環境からの振動絶縁の何らかの尺度を提供することがある。
【００２７】
別の態様では、基部に対して着脱可能に配置可能な支持プラットフォームが設けられることがある。支持プラットフォームの取り外しによって、支持プラットフォームの掃除が容易になることがある。支持プラットフォームは、薬剤調製ステージング領域を少なくとも部分的に画定することができる。支持プラットフォームは、支持プラットフォームの変色または劣化に抵抗するために、耐ＵＶ材料から作製されてよい。
【００２８】
一態様では、支持プラットフォームの支持面は、複数の薬剤容器係合機構を画定することができる。したがって、支持プラットフォームは、支持面の面に対応する基準平面を含むことができる。この点に関して、支持面は、基準平面から第１の深さだけ延在し得る、支持面内に画定された少なくとも１つの溝を含むことができる。さらに、支持面は、基準平面から第２の深さだけ延在し得る、支持面内に画定された少なくとも１つのチャネルを含むことができる。溝およびチャネルは、薬剤調製ステージング領域内に配置された薬剤容器と係合するように動作可能であり得る。一実施形態では、第１の深さは、第２の深さよりも小さいことがある。
【００２９】
また、一実装形態では、溝は、基準平面から第１の深さまで延在する第１の凹状面を含むことができる。チャネルは、基準平面から第２の深さまで延在する第２の凹状面を備えることができる。第１の凹状面は、第２の凹状面の第２の曲率半径よりも大きい第１の曲率半径を有することができる。一実施形態では、支持面は、複数の溝および／または複数のチャネルを含むことができる。前記複数の溝のうちの少なくとも１つは、チャネルのうちの少なくとも１つに垂直に配置されることがある。そのうえ、複数の溝のうちの少なくとも１つは、支持面の幅に対応する基部の第１の方向に延在することができる。たとえば、少なくとも１つの溝は、支持面の幅に対応する第１の方向に、支持面のほぼ全部を横切って延在することができる。また、複数のチャネルのうちの少なくとも１つは、支持面の長さに対応する基部の第２の方向に延在することができる。たとえば、少なくとも１つのチャネルは、支持面の長さに対応する第２の方向に、支持面のほぼ全部を横切って延在することができる。
【００３０】
さらに別の態様は、医学的用量調製画像が取り込まれたことをユーザに知らせるための仕組みを含むことができる。たとえば、ユーザ制御デバイスで受け取られたユーザ入力に応答して撮像デバイスによって取得された画像データからの医学的用量調製画像の取り込みを開始するためにプロセッサと通信動作可能なユーザ制御デバイス（たとえばフットスイッチ）が設けられることがある。言い換えれば、ユーザ制御デバイスは、撮像デバイスによって出力されたビデオ・データ・ストリームからの医学的用量調製画像の取り込みを開始するユーザ入力を受け取るために、ユーザ入力を受け取るように動作可能である、および／またはそのように適合されることがある。代替または追加として、医学的用量調製画像の取り込みをトリガする他の方法が、制限なく提供されてよい。いずれの点においても、医学的用量調製画像の取り込み時、光源の強度は、放射される光のデフォルト強度から、光の修正された強度に自動的に修正され得る。言い換えれば、光源は、少なくとも１つの光源の強度が、放射される光のデフォルト強度から放射される光の修正された強度に自動的に修正されるように動作可能である、および／またはそのように適合されることがある。光度の変化は、医学的用量調製画像の取り込み後の第１の所定の期間に発生することがある。そのうえ、光源は、第１の所定の期間の後の第２の所定の期間に、光の修正された強度から光のデフォルト強度に自動的に戻されることがある。言い換えれば、光源は、第１の所定の期間の後の第２の所定の期間に、光の修正された強度から光のデフォルト強度に自動的に戻されるように動作可能である、および／またはそのように適合されることがある。光源は、光の修正された強度から光のデフォルト強度に自動的に戻ることが可能であってよい。この点に関して、光源は、ユーザがワーク・フローを進めることができるように、画像が取り込まれたことをユーザに示すために、「明滅する」または「ちらつく」ように制御されることがある。
【００３１】
一実施形態では、プロセッサと通信動作可能な重量計が設けられることがある。重量計は、薬剤調製ステージング領域内で支持可能に配置される薬剤容器に対応する重量を出力するように動作可能であることがある。この点に関して、基部に対して対応する関係として重量計が設けられることがある（たとえば、基部に対して配置される、および／または基部と一体化される）。
【００３２】
たとえば、重量計は、一般に、医学的用量調製ステージング領域内に配置された物品の重量分析を実行するために使用されることがある。たとえば、医学的用量調製画像の取り込み時、薬剤容器の重量は、医学的用量調製画像が取り込まれたのとほぼ同時に、重量計からプロセッサによって記録され得る。言い換えれば、プロセッサは、−ユーザ入力の受け取り時に−医学的用量調製画像が取り込まれたのとほぼ同時に重量計から重量を記録するように動作可能である、および／またはそのように適合されることがある。この点に関して、ワーク・ステーションは、医学的用量調製画像および重量を格納するための、プロセッサと通信動作可能なメモリも含むことができる。たとえば、重量および医学的用量調製画像は、メモリに関連付けて格納されることがある。したがって、プロセッサは、薬剤容器の予想重量（たとえば、命令のメタデータ内で提供される）と薬剤容器の実測重量を比較するように動作可能であることがある。この点に関して、プロセッサは、予想重量に対する実測重量の偏差を計算するように動作可能であることがある。偏差は、重量、医学的用量調製画像、および／または用量命令とともに、メモリに関連付けて格納されることがある。そのうえ、偏差は、閾値偏差値と比較されることがある。したがって、偏差が閾値偏差を超えるとき、警告がユーザに提供されることがある。この態様では、基部、撮像デバイス、および重量計は、移動のために単一ユニットとして相互接続されることがある。さらに、プロセッサは、閾値偏差と偏差を比較し、ユーザに警告を提供するように動作可能である、および／またはそのように適合されることがある。
【００３３】
別の態様は、撮像野のビデオ・データ・ストリームの出力のステップと、撮像野のビデオ・データ・ストリームを受け取るステップと、ユーザ制御デバイスで受け取られたユーザ入力に応答してのビデオ・データ・ストリームからの医学的用量調製画像の取り込みを開始するステップと、薬剤調製ステージング領域内に支持可能に配置された薬剤容器に対応する重量を出力するステップとを含む方法に関することがある。この方法は、ユーザ入力の受け取り時、前記医学的用量調製画像の取り込みとほぼ同時の重量計からの重量の記録をさらに提供することがある。
【００３４】
本発明の多数の追加の特徴および利点は、本明細書で提供される実施形態の説明を考慮すると、当業者に明らかになるであろう。
【図面の簡単な説明】
【００３５】
【図１】医学的用量調製管理システムの一実施形態およびその動作の一実施形態を示す概略的な流れ図である。
【図２】医学的用量調製管理システムにおいて使用するためのワーク・ステーションの一実施形態の概略図である。
【図３】ワーク・ステーションのカメラ・スタンドの一実施形態の斜視図である。
【図４】図３のカメラ・スタンドのハウジングの一実施形態の斜視図である。
【図５】ハウジングの密閉空間内に配置されたカメラおよび光源を示す、図３のカメラ・スタンドのハウジングの実施形態の断面図である。
【図６】偏光フィルタの生産中の偏光フィルタの一実施形態を示す図である。
【図７】完成し位置合わせされた状態の図６の偏光フィルタの実施形態を示す図である。
【図８】支持具が第２の位置に配置された、図３のカメラ・スタンドの実施形態の斜視図である。
【図９】支持具が第２の位置に配置された、図３のカメラ・スタンドの実施形態の平面図である。
【図１０Ａ】第１の位置における支持具の第１の部分と第２の部分の間の接続の一実施形態を示す図である。
【図１０Ｂ】第２の位置における支持具の第１の部分と第２の部分の間の接続の一実施形態を示す図である。
【図１１】支持具プラットフォームが取り外された位置にある、図３のカメラ・スタンドの基部の斜視図である。
【図１２】ワーク・ステーションの支持面の一実施形態の上面図である。
【図１３】図１２の支持面の正面図である。
【図１４】図１２の支持面の側面図である。
【図１５】撮像デバイスの支持具への取り付けの一実施形態を示す斜視図である。
【発明を実施するための形態】
【００３６】
本発明は、さまざまな変更および代替形態の余地があるが、本発明の具体的な実施形態は例として図面に示されており、本明細書で詳細に説明する。しかしながら、本明細書は、本発明を特定の形態に限定することを意図するものではなく、むしろ、本発明は、特許請求の範囲によって定められる本発明の範囲に含まれるすべての変更、均等物、および代替形態を包含することができることを理解されたい。
【００３７】
図１は、医学的用量の調製および／または管理の助けとなるためにケア提供者薬局１２において使用され得るシステム１０の一実施形態を示す。システム１０は、医学的用量命令を受け取るために、用量命令入力２０を含むことができる。用量命令入力２０は、医学的用量を命令するために、ケア提供担当者（たとえば、医師、看護師など）によって利用され得る。
【００３８】
用量命令入力２０で受け取られる医学的用量命令は、患者に固有であってもよいし、命令の時点で患者に関連しない命令であってもよい。この点にて、医学的用量命令は、被含有薬剤ユニット（ｃｏｎｔａｉｎｅｄ  ｍｅｄｉｃａｔｉｏｎ  ｕｎｉｔ）に対応することがあり、この薬剤ユニットは、
・特定の患者への投与用に指定された薬剤ユニットを備える患者固有ユニット、
・後で特定の患者への投与用に指定されるべき薬剤ユニットを備える非患者固有ユニット、または
・（たとえば、調製後に特定の患者への投与用に指定される）患者固有ユニットまたは非患者固有ユニットの調製において使用されるべき薬剤成分供給源ユニット
のうちの１つを備えることがある。薬剤用量命令に対応することがある、被含有薬剤ユニットの例としては、
・混合滅菌製品、
・注入可能薬剤、
・化学療法薬調製、または
・患者ケア提供者による投与を必要とする栄養補助剤（たとえば、滅菌済みの注入可能な栄養補助剤）
がある。
【００３９】
後者の点に関して、栄養補助剤は、完全静脈栄養法（ＴＰＮ：ｔｏｔａｌ  ｐａｒｅｎｔｅｒａｌ  ｎｕｔｒｉｔｉｏｎ）またはＴＰＮの成分を含むことがある。そのうえ、栄養補助剤は、部分的な栄養補助剤を含むことがある。栄養補助剤は、あらかじめ混合されたバッグ、基剤、および追加成分を個別に、または組み合わせて含んでもよいし、他の形態の栄養補助剤またはその成分を含んでもよい。栄養補助剤は、静脈内注射を介した投与のためのものであってもよいし、食物の形態であってもよいし、栄養チューブなどとともに使用するためのものであってもよい。
【００４０】
いずれの点に関しても、医学的用量は、薬剤用量の調製の助けとなるために使用され得る情報の１つまたは複数の部分を含むことがあり、患者への用量命令の投与に関連することがあり、または用量命令に関することがある。たとえば、用量命令は、
・薬剤識別子、
・薬剤量、
・薬剤濃度、
・薬剤用量命令に関連する薬剤ユニットが投与される患者に関連する情報、
・薬剤用量命令に関連する薬剤ユニットのスケジューリング情報（たとえば、投与時刻）、または
・薬剤用量命令に関連する薬剤ユニットに関する他の適切な情報
に相当する情報を含むことがある。
【００４１】
いずれの点に関しても、医学的用量命令は、医学的用量調製管理システム３０に通信されることがある。医学的用量調製管理システム３０は、命令処理器２０から受け取られた用量命令情報から用量命令データを獲得する５０ように動作可能であってもよい。医学的用量調製管理システム３０はまた、用量命令データを前処理する５２ことがあってもよい。前処理５２としては、たとえば、医学的用量調製管理システム３０によって保守されるデジタル用量命令記録を生成することが含まれ得る。デジタル用量命令記録は、たとえば医学的用量命令に関して上記で説明した情報のいずれかなどの命令から取得され得るデータが自動的に設定されることがある。この点に関して、情報は、解析されてもよいし、削除されてもよいし、命令入力２０で受け取られる薬剤用量命令から取得されてもよい。具体的には、一実施形態では、医学的用量調製管理システム３０は、命令入力２０からの人間可読出力（たとえばプリンタ）を宛先とするデータを削除して、医学的用量命令記録に、医学的用量命令に対応するデータを設定するように動作可能であってもよい。
【００４２】
一実施形態では、医学的用量調製管理システム３０は、薬剤用量命令データベース３２と動作可能に通信してもよい。この点に関して、薬剤用量命令データベース３２は、ケア提供者施設にあってよい（すなわち、ケア提供者病院１２に対してオンサイトであってよい）。医学的用量調製管理システム３０は、追加または代替として、遠く離れた薬剤用量命令データベース３４と通信するように動作可能であってよい。この点に関して、医学的用量調製管理システム３０は、ネットワークなどを介して、遠隔の薬剤用量命令データベース３４と通信することがある。いずれの点に関しても、薬剤用量命令データベース３２または３４は、薬剤用量命令データベース３２および／または３４内の薬剤用量命令記録を格納するように動作可能であってよい。さらに、薬剤用量命令データベース３２または３４は、格納された薬剤用量命令のそれぞれの命令に対して対応する関係として用量命令メタデータを格納してよい。薬剤用量命令データベース３２または３４は、アクティブな用量命令（たとえば、生成されているがまだ患者に投与されていない用量命令に相当する）またはアーカイブされた用量命令（たとえば、患者に投与された用量命令に相当する）を格納することができる。冗長なデータがオンサイト医学的用量命令データベース３２およびオフサイト医学的用量命令データベース３４に格納されることがある。たとえば、オフサイト医学的用量命令データベース３４は、オンサイト医学的用量命令データベース３２のバックアップ版であってよい。
【００４３】
いずれの点に関しても、医学的用量命令メタデータは、薬剤用量命令に対して対応する関係で格納され得る。医学的用量命令メタデータは、たとえば、以下のタイプのデータを含むことがある。
・以下のうちの少なくとも１つを示す薬剤供給源データ：
−  薬剤用量命令に対応する被含有薬剤ユニットの構成要素の製造業者、
−  薬剤用量命令に対応する被含有薬剤ユニットの構成要素のロット番号、
−  薬剤用量命令に対応する被含有薬剤ユニットの構成要素の使用期限、
−  薬剤用量命令に対応する被含有薬剤ユニットの構成要素のシリアル番号、
−  薬剤用量命令に対応する被含有薬剤ユニットの構成要素の識別子を示す薬品コード
・以下のうちの少なくとも１つを示す一連の保管データ：
−  薬剤用量命令に対応する被含有薬剤ユニットの構成要素または薬剤用量命令に対応する被含有薬剤ユニットを所有するエンティティのリスト、
−  薬剤用量命令に対応する被含有薬剤ユニットに関して行動を起こしたユーザのリスト。このユーザのリストは、各ユーザによって行われる特定の行動に相互に関連する。または
−  薬剤用量命令に対応する被含有薬剤ユニットの構成要素または薬剤用量命令に対応する被含有薬剤ユニットの物理運動に対応する追跡情報
・以下のうちの少なくとも１つを示す履行データ：
−  薬剤用量命令に対応する被含有薬剤ユニットの構成要素または薬剤用量命令に対応する被含有薬剤ユニットに対応する画像データ、
−  薬剤用量命令に対応する被含有薬剤ユニットの構成要素から取得されるスキャンされたデータ、
−  薬剤用量命令に対応する被含有薬剤ユニットの構成要素または薬剤用量命令に対応する被含有薬剤ユニットに関する分析データ、
−  薬剤用量命令に対応する被含有薬剤ユニットの構成要素または薬剤用量命令に対応する被含有薬剤ユニットの少なくとも１つの薬剤師チェックに対応する薬剤師チェックデータ、
−  薬剤用量命令に対応する被含有薬剤ユニットの構成要素または薬剤用量命令に対応する被含有薬剤ユニットに関連するベストプラクティスに対応するコンプライアンスデータ、
−  薬剤用量命令に対応する被含有薬剤ユニットの構成要素または薬剤用量命令に対応する被含有薬剤ユニットに対応する無菌性評価データ、
−  薬剤用量命令に対応する被含有薬剤ユニットの構成要素または薬剤用量命令に対応する被含有薬剤ユニットに対応する行動のリスト、
−  薬剤用量命令に対応する被含有薬剤ユニットの構成要素または薬剤用量命令に対応する被含有薬剤ユニットに対応する行動に対応するタイム・スタンプ・データ、
−  薬剤用量命令に対応する被含有薬剤ユニットの構成要素または薬剤用量命令に対応する被含有薬剤ユニットに対して行われたライフ・サイクル・イベントのリスト、
−  薬剤用量命令に対応する被含有薬剤ユニットの構成要素または薬剤用量命令に対応する被含有薬剤ユニットの実測重量および／または予想重量に対応する重量データ、または
・以下のうちの少なくとも１つを示す環境データ：
−  薬剤用量命令に対応する被含有薬剤ユニットの構成要素または薬剤用量命令に対応する被含有薬剤ユニットが曝露されている温度、
−  薬剤用量命令に対応する被含有薬剤ユニットの構成要素または薬剤用量命令に対応する被含有薬剤ユニットが曝露されている温度および対応する時間期間、
−  薬剤用量命令に対応する被含有薬剤ユニットの構成要素または薬剤用量命令に対応する被含有薬剤ユニットが冷却されているかどうか、
−  薬剤用量命令に対応する被含有薬剤ユニットの構成要素または薬剤用量命令に対応する被含有薬剤ユニットが冷凍されているかどうか、
−  薬剤用量命令に対応する被含有薬剤ユニットの構成要素または薬剤用量命令に対応する被含有薬剤ユニットによって経験される温度プロファイル、または
−  薬剤用量命令に対応する被含有薬剤ユニットの構成要素または薬剤用量命令に対応する被含有薬剤ユニットによって経験される力に対応する加速度計データ。
【００４４】
医学的用量命令メタデータの上記の説明から諒解され得るように、医学的用量命令は、医学的用量命令の調製において使用される構成要素からメタデータを継承することがある。単純な例では、医学的用量命令は、第２の構成要素（たとえば希釈剤）と混合されるべき第１の構成要素（たとえば薬品）を含むことがある。この第１の構成要素は、第１の構成要素に関連する上記で説明したメタデータの１つまたは複数の部分を有することがある。さらに、第２の構成要素は、第２の構成要素に関連する上記で説明したメタデータの１つまたは複数の部分を有することがある。したがって、第１の構成要素および第２の構成要素を使用して調製される医学的用量命令は、第１の構成要素および第２の構成要素の各々からメタデータを継承することがある。この点に関して、複数の世代のメタデータは、所与の医学的用量命令に対して編集および起因され得る。一実施形態では、用量命令を調製するために使用されるあらゆる構成要素に対するメタデータは、所与の医学的用量命令に対して編集および起因され得る。したがって、医学的用量命令に関するメタデータ情報は、用量命令の構成要素の製造業者によって提供される供給源構成要素に発するメタデータを含むことがある。
【００４５】
医学的用量調製管理システム３０はまた、用量命令を組織化する５４ように動作可能である。組織化５４としては、優先順位付け、スケジューリング、または用量命令の組織化もしくは管理に関連する他の作業があり得る。医学的用量調製管理システム３０はまた、用量命令を用量命令の履行において使用するための適切なワーク・ステーション４０にルーティングする５６ように動作可能である。この点に関して、医学的用量調製管理システム３０と通信する複数のワーク・ステーション４０が設けられてよい。複数のワーク・ステーション４０のうちの異なるワーク・ステーション４０は各々、医学的用量命令管理に関連する異なる動作に適していることがある。したがって、医学的用量の性質に応じて、特定のタイプのワーク・ステーション４０は、用量を調製するために使用され得る。ワーク・ステーション４０は、図１に示されるケア提供者病院１２に対してオンサイトであってもよいし、オフサイトであってもよい。この点に関して、ルーティング５６としては、ネットワークを介したリモート・ワーク・ステーション４０への通信があり得る。そのうえ、システム１０は、用量命令がルーティングされ得る５６、オンサイトワーク・ステーション４０ならびにオフサイトワーク・ステーション４０の組み合わせを含むことができる。
【００４６】
いずれの点に関しても、医学的用量調製管理システム３０は、１つまたは複数のワーク・ステーション４０と動作可能に通信してもよい。用量命令のルーティング５６は、用量命令または用量命令の調製に関連する１つまたは複数の要因に少なくとも部分的に基づいてよい。たとえば、上記で述べたように、用量命令に対応する被含有薬剤ユニットの性質（たとえば、用量命令が化学療法薬用量命令であるか、非経口用量命令であるか、または他の特殊用量命令であるか）は、用量命令のルーティング５６に関する判断を要因として考慮に入れることがある。追加または代替として、用量命令が調製されるべき様式に関するさまざまなワーク・ステーション４０の機能が考慮されてよい。たとえば、いくつかの命令は、異なるレベルの封じ込め、覆うこと（ｈｏｏｄｉｎｇ）、または各ワーク・ステーション４０に設けられても設けられなくてもよい他の予防措置を必要とすることがある。一実施形態では、技術者のスケジュール、ワーク・ステーションのスケジュール、ワーク・ステーションの場所、薬剤用量命令スケジューリング情報、または他の情報などの他のパラメータは、用量命令を特定のワーク・ステーション４０にルーティングする５６ために、単独で使用されてもよいし、組み合わされて使用されてもよい。
【００４７】
ワーク・ステーション４０では、医学的用量命令の調製に対応するワーク・フローが表示され得る５８。この点に関して、ワーク・ステーション４０で現在調製されている医学的用量命令に固有のワーク・フローは、ワーク・ステーション４０で技術者に提示され、用量命令を調製する技術者を支援するまたは技術者に指針を提供することができる。したがって、技術者は、一連のステップに従って、用量命令に関連する表示される５８ワーク・フローに基づいて医学的用量を調製することができる。
【００４８】
用量命令の調製中および／またはその後、ワーク・ステーション４０は、医学的用量命令に関連する用量命令メタデータを取得する６０助けとなるために使用され得る。たとえば、ワーク・ステーション４０は、たとえば、製品のバーコード・スキャンの獲得、用量の調製における使用中もしくはその後の医学的用量命令容器の医学的用量調製画像の取り込み、または用量の調製に関連する他の情報の取得などの医学的用量の調製に関する書類の記録を可能とすることができる。一実施形態では、薬剤用量メタデータに関して上記で説明したデータのタイプのうちの１つまたは複数は、ワーク・ステーション４０での医学的用量命令の調製に関連して獲得され得る。
【００４９】
薬剤用量に関して取得される６０用量メタデータの少なくとも一部分は、適切な担当者（たとえば薬剤師）による閲覧のために格納され得る。この点に関して、用量メタデータは、用量が薬局１２から投薬される前に、調製された用量を確認する６２ために利用され得る。一実施形態では、ワーク・ステーション４０で収集されたメタデータは、ネットワークを介して薬剤師に利用され得る。この点に関して、用量命令を確認する６２作業が課された薬剤師は、リモートで（たとえば、病院内であるがＩＶ室の外部にある場所で、またはネットワークを介して病院構内から完全に離れた場所で）情報および／またはデータにアクセスすることがある。メタデータにリモートでアクセスする機能によって、薬剤師は、用量命令を確認する６２ためにＩＶ室に入らなければならない状態を回避する（すなわち、したがって、ＩＶ室の制御された環境に入ることに一般に関連する潜在的に面倒な更衣手順を回避する）ことを可能にすることができる。確認する６２としては、薬剤師による、医学的用量調製画像、取得された情報、または医学的用量命令に関する他のデータの点検があり得る。たとえば、薬剤師は、正しい薬剤が医学的用量命令の調製中に集められ格納されたメタデータに基づいて正しい様式および／または正しい量で調製されたことを確認することがある。薬剤用量命令が何らかの点で間違っている場合、薬剤師は、薬剤用量命令が再処理されるまたは再開することを求めることがある。
【００５０】
用量命令がひとたび調製および確認される６２と、医学的用量調製管理システム３０は、用量命令を配給する６４ことができる。用量命令を配給する６４とき、用量命令は、ケア提供者による患者への投与のために薬局１２から送られることがある。たとえば、用量は、ケア提供者の指導または監督の下で、ケア提供者病院１２で、またはオフサイトの場所で、投与されることがある。
【００５１】
医学的用量調製管理システム３０はまた、患者への投与という用量命令の追跡６６を容易にする。薬局ワーク・フロー・マネージャ３０はまた、格納またはアーカイブされ得る各用量に関連する記録を保持することができる。たとえば、記録は、電子的にインデックスが付与された検索可能な形でデジタルに格納され得る。記録は、各用量に関するメタデータの少なくとも一部分、好ましくはすべてを含むことができる。
【００５２】
図２をさらに参照すると、ワーク・ステーション４０の一実施形態を示す概略図が示されている。ワーク・ステーション４０は、撮像デバイス８０と通信動作可能なプロセッサ７０を含むことができる。撮像デバイス８０は、デジタル画像データを出力するように動作可能なデジタル・カメラであってよい。デジタル画像データは、静止画像および／またはデジタル・ビデオを含むことができる。この点に関して、撮像デバイス８０は、プロセッサ７０によって受け取られるビデオ・データ・ストリーム８２を出力することができる。この点に関して、プロセッサ７０は、撮像デバイス８０からプロセッサ７０で受け取られるビデオ・データ・ストリーム８２を処理するためのビデオ・データ・ストリーム処理モジュール７２を含むことができる。直接通信する、図２に示されるさまざまな構成要素が示されているが、これらのさまざまな構成要素は、ネットワーク・インタフェースなどによって動作可能に通信してもよい。
【００５３】
撮像デバイス８０は、撮像野８４を含むことができる。撮像野８４は、医学的用量調製ステージング領域８６を包含することができる。撮像デバイス８０は、基部９０に支持可能に装着され得る。たとえば、支持具９２は、基部９０から撮像デバイス８０に延在して、撮像デバイス８０を基部８０に対して支持することができる。この点に関して、一実施形態では、医学的用量調製ステージング領域８６は、基部９０の支持面９４を含むことができる。医学的用量調製ステージング領域８６は、面９４の上の空間（たとえば、面から面に垂直なおよび／または撮像デバイス８０に向かう方向に延在する）も含むことができる。いずれの点に関しても、撮像デバイス８０の撮像野８４は、薬剤容器１００を支持可能に受け取ることができる医学的用量調製ステージング領域８６を包含することができる。次に、撮像デバイス８０、支持具９２、および基部９０は、カメラ・スタンド２００をまとめて定義することができる。したがって、カメラ・スタンド２００は、医学的用量命令の調製中に医学的用量調製画像および／または他のメタデータを取得する目的で、撮像デバイス８０を基部９０に対して支持するためにワーク・ステーション４０において使用され得る。
【００５４】
医学的用量調製ステージング領域８６内で基部９０によって支持可能な薬剤容器１００は、用量の調製において使用される、任意の材料、容器、装置、または他の物体を含むことができる。たとえば、薬剤容器１００は、供給源容器（ｓｏｕｒｃｅ  ｒｅｃｅｐｔａｃｌｅ）、搬送容器、または投与容器であってもよいし、これを含んでもよい。供給源容器は、配合または用量調製の前に薬局で格納される薬剤製品を格納することができる。この点に関して、供給源容器は、薬品製造業者によって包装され、これから受け取られる容器であってよい。したがって、供給源容器は、薬剤に関する情報をその上に含むことができる。たとえば、製品名、濃度、量、ロット情報、有効期限情報、シリアル番号、他の製造情報、または他の情報は、薬剤に関連付けられることがあり、および／または供給源容器上に現れることがある。医学的用量調製管理システム３０は、供給源容器上に現れることがあるデータの前述の部分のいずれかを含む、供給源容器に関するメタデータを格納するように動作可能であってよい。この点に関して、供給源容器は、（たとえば、バー・コードなどの機械可読証印（ｉｎｄｉｃｉｕｍ）の使用を介して）ワーク・ステーション４０によって識別可能であってよい。
【００５５】
そのうえ、医学的用量調製管理システム３０は、供給源容器からのメタデータを、上記で説明したように供給源容器が使用される用量命令に属するように動作可能であってよい。供給源容器が、薬局で配合され、かつ後で用量の調製において使用するために供給源容器中に配置された、あらかじめ調製された薬剤を含むとき、供給源容器メタデータは、医学的用量命令のためのメタデータに属されまたは付加すらされ得る。この点に関して、医学的用量命令を調製するために使用されるいくつかの世代の構成要素のためのメタデータ（たとえば、製造業者薬品などの製造業者から受け取られた元の供給源構成要素から発する）は、医学的用量命令に属され得る。したがって、医学的用量命令メタデータとしては、継承されたメタデータを含む医学的用量命令で使用されるすべての構成要素に関する情報があり得る。さまざまな構成要素のためのメタデータは、ワーク・ステーション４０における容器１００の識別時に（たとえば、機械可読証印をスキャンすることによって）取り出され得る。さまざまな実施形態では、供給源容器としては、バイアル、シリンジ、瓶、袋、または当技術分野で知られている他の適切な薬剤容器があり得る。
【００５６】
投与容器は、患者への医学的用量の投与中に使用される任意の容器であってよい。投与容器は、任意の薬剤、希釈剤、補助剤、または患者に投与されるべき他の任意の材料を含有し得る。さまざまな実施形態では、投与容器としては、シリンジ、ＩＶバッグ、または患者への物質の投与において使用される他の適切な薬剤容器があり得る。投与容器は、調製された医学的用量命令のためのメタデータに含まれるメタデータも含むことがある。
【００５７】
搬送容器は、供給源容器から投与容器に物質を搬送するために使用され得る。たとえば、搬送容器は、シリンジまたは供給源容器から投与容器に物質を搬送することが可能な当技術分野で知られている他の任意の適切な容器であってよい。搬送容器は、調製された医学的用量命令のためのメタデータに含まれるメタデータも含むことがある。
【００５８】
図２に戻ると、プロセッサ７０は、さらにディスプレイ１１０と通信動作することができる。この点に関して、撮像デバイス８０から受け取られるビデオ・データ・ストリーム８２は、ユーザによって知覚可能な様式でディスプレイ１１０に表示され得る。ディスプレイ１１０に表示されるビデオ・データ・ストリーム８２は、ビデオ・データ・ストリーム処理モジュール７２によって処理され得る。たとえば、ビデオ・データ・ストリーム処理モジュール７２は、ビデオ・データ・ストリーム８２から静止画像を取り込むように動作可能であってよい。ビデオ・データ・ストリーム８２は、所与のフレーム・レートで表示される一連の画像を含むことができる。たとえば、フレーム・レートは５〜１０フレーム／秒であってよい。
【００５９】
ビデオ・データ・ストリーム処理モジュール７２によって取り込まれる医学的用量調製画像としては、医学的用量命令を調製する最中に使用される１つまたは複数の薬剤容器１００があり得る。この点に関して、医学的用量命令の調製は、用量を調製するために使用される薬剤容器１００の画像を取り込むことによって文書化され得る。医学的用量調製画像は、医学的用量命令に関するメタデータとして格納され得る。医学的用量調製画像としては、用量の調製中のさまざまな段階における１つまたは複数の薬剤容器があり得る。たとえば、供給源容器、搬送容器、または投与容器は、用量の調製の前、その間、またはその後に撮像され得る。
【００６０】
ビデオ・データ・ストリーム処理モジュール７２によって取り込まれる医学的用量調製画像は、プロセッサ７０と通信動作可能なメモリ１２０に格納され得る。この点に関して、医学的用量調製画像は、ワーク・ステーション４０においてメモリ１２０にローカルに格納され得る。追加または代替として、医学的用量調製画像は、プロセッサ７０と通信動作可能なネットワーク・インタフェース１４０によってリモートな場所（たとえば、図１に示されるオンサイト薬剤用量命令データベース３２またはオフサイト薬剤用量命令データベース３４に）に通信され得る。いずれの点に関しても、医学的用量調製画像は、医学的用量命令を確認する（たとえば、図１に関して上記で説明した、確認する６２）最中に画像が後でチェックされ得るように、および／または一般にワーク・ステーション４０および／または病院薬局１２によって調製される用量命令に関する記録を保守するためにアクセス可能であり得る。
【００６１】
プロセッサ７０は、ユーザ制御デバイス１３０とも通信動作可能である。ユーザ制御デバイス１３０は、ユーザ（たとえば、用量を調製する薬局の技術者）から入力を受け取るように動作可能であってよい。ユーザ制御デバイス１３０は、たとえば、フット・ペダル、ボタン、タッチ・スクリーン、マウス、キーボード、または当技術分野で知られている他のユーザ入力デバイスであってよい。ユーザは、ユーザ制御デバイス１３０を利用して、ビデオ・データ・ストリーム８２からの医学的用量調製画像の取り込みをトリガすることができる。たとえば、薬剤容器１００は、薬剤容器１００を含む撮像野８６の撮像デバイス８０によって取り込まれたビデオ・データ・ストリーム８２を表示するディスプレイ１１０を観察することによってユーザによって閲覧され得る。ディスプレイ１１０に表示される画像がひとたびユーザにとって許容可能であると、ユーザは、ユーザ制御デバイス１３０を使用して、上記で説明したように、メモリ１２０内またはリモート・データベース内への格納のために医学的用量調製画像の取り込みをトリガすることができる。
【００６２】
ワーク・ステーション４０は、医学製品に関連する用量ラベル、進行中の用量、および／または完了した用量を印刷するように動作可能なプリンタ１５０も含むことができる。この点に関して、プリンタ１５０は、金属用量および／または医学的用量命令に関連して薬局１２および／または病院において使用されるラベルを印刷するように動作可能なラベル・プリンタであってよい。
【００６３】
図３をさらに参照すると、カメラ・スタンド２００の一実施形態が示されている。上記で説明したように、カメラ・スタンド２００は、撮像デバイス８０と、支持具９２と、基部９０とを含むことができる。撮像デバイス８０に関して、撮像デバイス・ハウジング２１０は、カメラ２１２（図５に示される）を含むことができる。図４および図５をさらに参照すると、ハウジング２１０は、開口２１４を画定することができる。開口２１４は、カメラ２１２が開口２１４を通って医学的用量調製ステージング領域８６の方へ方向付けられ得るように、ハウジング２１０に対して配置され得る。透明シールド２１６は、開口２１４の中に配置され得る。たとえば、透明シールド２１６は、ハウジング２１０に固着され得る。
【００６４】
透明シールド２１６は、開口２１４（たとえば、レンズ２２６に対して対応する関係である）の少なくとも一部分を横切って延在することができる。一実施形態では、透明シールド２１６は、開口２１４のほぼ全体を横切って延在することができる。この点に関して、ハウジング２１０および透明シールド２１６はまとめて、カメラ２１２が配置され得る密閉空間２１８（図５に最も良く示されている）を画定することができる。この点に関して、透明シールド２１６およびハウジング２１０は、密閉空間２１８のまわりに延在する連続した外面２２０も画定することができる。したがって、連続した外面２２０は、ハウジング２１０および透明シールド２１６の容易な掃除を可能にすることができる。たとえば、連続した外面２２０は、掃除を容易にするためにオペレータによって拭くことが可能であることがある。連続した外面２２０は、密閉空間２１８を通る流体に対して耐性を示すことがあるので、密閉空間２１８の中に配置された構成要素は、外面２２０が流体（たとえば掃除製品）に曝露されたとき、乾燥した状態を保つことがある。以下で説明するカメラ・スタンド２００のさらなる態様も、ワーク・ステーション４０の掃除の助けとなり得る。
【００６５】
光源基板２２８も、密閉空間２１８の中に配置され得る。光源基板２２８は、光源基板２２８に接続された１つまたは複数の光源２３０を含むことができる。光源２３０は、個々の発光ダイオード（ＬＥＤ：ｌｉｇｈｔ  ｅｍｉｔｔｉｎｇ  ｄｉｏｄｅ）を備えることができる。光源２３０は、光源２３０の動作において使用される電力および／または制御信号が光源基板２２８によって光源２３０に供給されるように、光源基板２２８に取り付けられ得る。この点に関して、光源基板２２８は、光源２３０と支持可能に係合し、ならびに光源２３０と光源基板２２８間の電気通信を提供するための物理的な装着基板を提供することができる。この点に関して、光源基板２２８は、光源２３０と光源基板２２８の間の取り付けおよび電気通信を容易にするために取り付け場所と適切な電気通信経路（たとえば導電性トレース）とを含むプリント回路基板（ＰＣＢ：ｐｒｉｎｔｅｄ  ｃｉｒｃｕｉｔ  ｂｏａｒｄ）であってよい。
【００６６】
光源基板２２８は、アパーチャ２３２を含むことができる。カメラ２１２のレンズ２２６は、レンズ２２６によって画定されるカメラ２１２の撮像野８４がアパーチャ２３２を通って延在するようにアパーチャ２３２と位置合わせされ得る。アパーチャ２３２は、ハウジング２１０の開口２１４の中央領域とも位置合わせされ得る。したがって、開口２１４の中央領域のまわりに延在する周辺領域は、光源基板２２８、したがって光源２３０によって占有されることがある。この点に関して、光源２３０は、光源基板２２８のアパーチャ２３２、したがってカメラ２１２のレンズ２２６のまわりに周辺に設けられ得る。光源２３０は、開口２１４を通して光を放射することができる。したがって、光源２３０から放射された光は、カメラ２１２の撮像野８４と少なくとも部分的に同一の空間を占めることがある。この点に関して、光源２３０が開口２１４の周辺領域を通じてレンズ２２６およびアパーチャ２３２のまわりに分布される図４に示される光源２３０の分布は、光源２３０からの光の比較的均一な分布を容易にすることができる。
【００６７】
図５をさらに参照すると、カメラ２１２は、ハウジング２１０および透明シールド２１６によって画定される密閉空間２１８に収容され得る。
【００６８】
図５でさらに諒解され得るように、１つまたは複数の偏光フィルタ２２２および２２４が設けられてよい。図示のように、周辺偏光フィルタ２２２および中央偏光フィルタ２２４が設けられ得る。周辺偏光フィルタ２２２の少なくとも一部分および中央偏光フィルタ２２４の少なくとも一部分は、重複しない関係で配置され得る。たとえば、周辺偏光フィルタ２２２は、光源基板２２８および光源２３０に対して対応する関係である開口２１４の周辺領域に配置され得る。中央偏光フィルタ２２４は、カメラ２１２のレンズ２２６に対して対応する関係である開口２１４の中央領域に配置され得る。
【００６９】
この点に関して、周辺偏光フィルタ２２２および中央偏光フィルタ２２４は、フィルタの偏光の方向が互いに垂直に向けられるように配置され得る。
【００７０】
したがって、光が光源２３０から放射されるとき、放射された光は、周辺偏光フィルタ２２２を通過し、したがって、周辺偏光フィルタ２２２に関連する偏光の第１の方向により偏光され得る。次いで、光は医学的用量調製ステージング領域８６の方へ進み、医学的用量調製ステージング領域８６は、第１の方向に偏光された放射光によって照らされ得る。光源２３０から発する放射光は、医学的用量調製ステージング領域８６から反射されることがある。今度は、放射光が、次いで、中央偏光フィルタ２２４を通過し、次いで、反射光が、偏光フィルタ２２２に関連する偏光の第１の方向に垂直な中央偏光フィルタ２２４によって偏光の第２の方向に偏光される。この点に関して、ハウジング２１０から放射される光は、周辺偏光フィルタ２２２によって偏光の第１の方向に偏光され、光の少なくともいくらかの偏光が変更されるように医学的用量調製領域８６から反射され、中央偏光フィルタ２２４によって偏光の第２の方向に偏光され得る。その結果、医学的用量調製ステージング領域８６に置かれた物体上のグレアが減少することができる。たとえば、特にガラスなどの光沢のある材料の場合、面に垂直な医学的用量調製ステージング領域８６内の物体と衝突する光は、偏光の変化を受けないことがある。したがって、グレアを起こし得る物体に垂直に入射する光は、第１の方向からの偏光が変化しない。第２の方向の偏光を有する中央偏光フィルタ２２４の導入は、光が面に垂直に反射されたので依然として第１の偏光方向にある反射光を完全に遮蔽することができ、したがって、別のやり方で発生させることがある第１の偏光方向の光のグレアを減少させる。
【００７１】
周辺偏光フィルタ２２２および中央偏光フィルタ２２４の偏光の前述の相対方位を達成するために、それぞれのフィルタは、偏光された材料の単一シートから製造されてよい。図６に関して、中央偏光フィルタ２２４は、単一偏光方位を有する偏光材料２４６の単一シートから切断され得る。中央偏光フィルタ２２４は羽根２４８ａと２４８ｂとを含むことができ、羽根２４８ａおよび２４８ｂは各々、装着穴２５０ａおよび２５０ｂをそれぞれ有する。図７をさらに参照すると、中央偏光フィルタ２２４がひとたび偏光材料２４６の単一シートから分離されると、中央偏光フィルタ２２４は、この時点で周辺偏光フィルタ２２２を備える偏光材料２４６の単一シートの残りの部分に対して９０°回転され得る。この点に関して、中央偏光フィルタ２２４の偏光方向は、周辺偏光フィルタに垂直であることがある。そのうえ、周辺偏光フィルタ２２２からの中央偏光フィルタ２２４の分離は、周辺偏光フィルタ２２２と中央偏光フィルタ２２４の間の重複しない関係（たとえば、中央偏光フィルタ２２４の羽根２４８ａおよび２４８ｂを除いて）を提供することがある。他の実施形態では、中央偏光フィルタ２２４および周辺偏光フィルタ２２２を画定する完全に別個の部分が設けられることがある。したがって、別個の部分の偏光方向が、偏光方向の垂直な相対方位を達成するように、試験され、適切に位置合わせされ得る。
【００７２】
追加または代替として、上記で説明した偏光フィルタ以外の他の光学フィルタが設けられてもよい。たとえば、医学的用量調製ステージング領域８６におけるより均一な光分布を提供し得る拡散フィルタが設けられてもよい。ハイ・パス、ロー・パス、バンド・パス、または他の任意の適切な光学フィルタなどの他の光学フィルタは、光源からの光の放射を選択的に制御するために用いられてよい。さらに、特定の波長光を放射する光源も用いられてよい。さらに、異なる波長光を制御可能に放射するように動作可能な光源が用いられてもよい（たとえば、光の色は制御され得る）。
【００７３】
図５では、カメラ２１２が密閉空間２１８に収容されることが諒解されよう。この点に関して、カメラ２１２へのアクセスは制限され得る。したがって、カメラ２１２に関連する光学設定は、カメラ２１２の操作によりユーザによって直接修正可能でないことがある。多くの場合、画質を改善する目的で、オペレータは、カメラ２１２の光学設定を調整することができることがわかっている。しかしながら、結果として生じる調整は、カメラ２１２を使用して取り込まれるべきさまざまな画像に関する最適以下の焦点および／またはアパーチャ設定になる画像の品質を最終的に低下させ得る。
【００７４】
したがって、一実施形態では、カメラ２１２は、少なくとも１つの固定された光学設定を含む。たとえば、１つまたは複数の光学設定は、レンズ２２６によって画定されるカメラ２１２のフィールドの深度が医学的用量調製ステージング領域８６の少なくとも一部分を含むように固定されることがある。一実施形態では、医学的用量調製ステージング領域８６の少なくとも大半は、カメラ２１２のフィールドの深度によって包含される。一実施形態では、医学的用量調製ステージング領域８６の実質的にすべては、カメラ２１２のフィールドの深度によって包含される。カメラ２１２の固定された光学設定は、焦点設定、アパーチャ設定、倍率、またはカメラ２１２のフィールドの深度に影響を及ぼす別の光学設定を含むことができる。
【００７５】
別の実施形態では、カメラ２１２の光学設定は（たとえばユーザによって）調整可能であることがある。たとえば、焦点距離、倍率、またはカメラ２１２の他の光学パラメータは調整され得る。光学設定の調整は、カメラ２１２の一部分を操作するユーザによって手動で達成され得る。一適用例では、カメラ２１２の光学設定を調整するために、電子信号がカメラ２１２に提供されることがある。一実施形態では、カメラ２１２は、１つまたは複数の光学パラメータに関連する一連の設定によって連続的に調整可能であることがある。別の実施形態では、複数の離散的光学パラメータが選択可能であることがある。たとえば、カメラ２１２の光学パラメータが、少なくとも２つの異なる光学パラメータ設定の中から選択されることがある。たとえば、対応する光学パラメータ設定が、基部９０に対するカメラ２１２の選択された位置に基づいて選択されることがある。この点に関して、カメラ２１２は、支持具９２の異なる位置のために、および／またはカメラ・スタンド２００の異なる構成のために、基部に対して異なる距離に配置され得る。この点に関して、利用可能なさまざまな異なる構成の場合、カメラ２１２に関連する光学パラメータが、カメラ２１２によって撮像されている薬剤容器１００の鮮明な画像を生成するように、離散的な光学設定が、基部９０に対する撮像デバイス８０の各位置に対して提供され得る。
【００７６】
一実施形態では、光源２３０は、医学的用量調製画像がいつ取り込まれたかを示すために使用され得る。すなわち、上記で説明したように、ユーザ制御デバイス１３０は、ビデオ・データ・ストリーム８２からの医学的用量調製画像の取り込みを開始するために使用されることがある。医学的用量調製画像の取り込み後の第１の所定の期間では、光源２３０のうちの少なくとも１つの強度が変化させられることがある。強度の変化は、画像が正常に取り込まれたことをユーザに示すことができる。この点に関して、光源２３０の光度は、デフォルト・レベルから、修正された強度（たとえば、より強く、またはより低く）に変化することがある。次いで、光源２３０は、第２の所定の時間の期間の後、デフォルト強度に戻ることがある。この点に関して、光源２３０は、「明滅する」または「ちらつく」またはデフォルト強度から、修正された強度に瞬間的に変化し、次いでデフォルト強度に戻ることがある）。強度の変動は、画像が取り込まれたこと、および医学的用量調製ステージング領域８６がクリアされ、たとえば、次の画像のために準備され得ることを示すために、ユーザによって容易に知覚され得る。
【００７７】
図３に戻ると、ハウジング撮像デバイス８０は、支持具９２によって支持可能に係合され得る。支持具９２は、薬剤調製ステージング領域８６に対して少なくとも第１の位置および第２の位置に支持具９２を選択的に位置決めすることを可能にすることができる。たとえば、支持具９２は、図３に示される方位（本明細書では第１の位置と呼ばれる）と図８および図９に示される方位（本明細書では第２の位置と呼ばれる）の間に選択的に位置決め可能であることがある。
【００７８】
この点に関して、支持アーム９２は、第１の部分２３４と、第２の部分２３６とを含むことができる。第１の部分２３４はハウジング２１０と支持可能に係合され得、第２の部分２３６は基部９０と支持可能に係合され得る。第１の部分２３４は、接続２３８で第２の部分２３６に位置決め可能に取り付けられ得る。たとえば、第１の部分２３４は、第１の部分２３４が第２の部分２３６に対する相対的移動を受けて、図３に示される第１の位置と図１０に示される第２の位置の間を移動することができるように、第２の部分２３６に移動可能に取り付けられ得る。この点に関して、接続２３８は、第１の位置と第２の位置の間の第１の部分２３４と第２の部分２３６の間で枢動を提供するために蝶番を備えることができる。
【００７９】
第２の部分２３６に対する第１の部分２３４の移動は、緩衝され得るおよび／または緩衝可能であり得る。この点に関して、接続２３８は、第２の部分２３６に対する第１の部分２３４の移動を緩衝する緩衝装置を含むことができる。一実施形態では、緩衝装置は、接続２３８において第１の部分２３４および第２の部分２３６の各々の上に提供される楕円形プロファイルを調整することを含むことができる。楕円形プロファイルは、第１の部分２３４および第２の部分２３６の調整面として提供されることがある。たとえば不均一な輪郭にされた形状（たとえば、１つまたは複数のカム・ローブを画定するプロファイル）などの楕円形プロファイル以外の他の形状のプロファイルが提供されることがある。
【００８０】
第１の部分２３４と第２の部分２３６の間の移動の緩衝を達成するように楕円面を調整することの使用を示す一実施形態が図１０Ａおよび図１０Ｂに示されている。たとえば、第１の楕円面２４０は第１の部分２３４の上に設けられてよく、第２の楕円面２４２は第２の部分２３６の上に設けられてよい。楕円面２４０および２４２は同心状に配置され、弾性材料２４４（たとえば、弾性ｏリングなど）によって分離されることがある。第１の部分２３４が第２の部分２３６に対して枢動すると、楕円面２４０および２４２が互いに近寄り、弾性材料２４４の圧縮をもたらし、したがって第１の部分２３４と第２の部分２３６間の移動を緩衝することができる。また、戻り止め機構２５２を調整することは、第１の位置２３４および第２の位置２３６における第２の部分２３６に対する第１の部分２３４の位置調整（ｒｅｇｉｓｔｒａｔｉｏｎ）のために提供されることがある。制動は、第１の部分２３４および第２の部分２３６の移動によって不均一であることがある。たとえば、第１の部分２３４と第２の部分２３６の間の移動に応答して作用する制動力は、第１の部分２３４および第２の部分２３６が第１の位置（図３に示される）の方へ移動するとき、小さいことがある。したがって、この点の近くでは、第１の部分２３４と第２の部分２３６の間の移動範囲の他の点よりも制動力が小さいと仮定すると、第２の部分２３６に対する第１の部分２３４の位置決めは、より正確であることがある。
【００８１】
図３および図８〜図９で諒解され得るように、支持具９２の第１の位置（図３に示される）では、撮像デバイス８０の撮像野８４が、薬剤調製ステージング領域８６が撮像デバイス８０と基部９０の間に配置されるような様式で向けられるように、撮像デバイス８０が配置され得る。すなわち、カメラ２１２は、基部９０で、基部によって画定される薬剤調製ステージング領域８６がカメラ２１２と基部９０の間でカメラ２１２の撮像野８４内にあるように方向付けられることがある。この点に関して、カメラ２１２によって取り込まれる医学的用量調製画像としては、寸法が薬剤調製ステージング領域８６の長さおよび幅に対応する画像があり得る。
【００８２】
第２の位置（図１０に示される）では、撮像デバイス８０は、撮像デバイス８０の撮像野８４が以下でより詳細に説明する基部９０の支持面２６２によって画定される平面と平行に延在するように、基部９０に対して向けられることがある。すなわち、カメラ２１２は、撮像野８４が基部の支持面と平行な方向に延在して、基部９０に垂直に延在する医学的用量調製ステージング領域の少なくとも一部分を包含するように、基部９０に垂直に方向付けられ得る。
【００８３】
支持具９２は連結具２６８の少なくとも一部分も含むことができ、連結具２６８は、密閉空間２１８内に配置された構成要素（たとえば、カメラ２１２、光源基板２２８、光源２３０など）の間の通信を確立するように動作可能であり得る。この点に関して、連結具２６８は、密閉空間２１８内の構成要素とプロセッサ７０の間の電気通信経路を確立することができる。いくつかの実施形態では、連結具２６８としては、１つもしくは複数の束ねられたもしくは統合されたケーブル、１つもしくは複数の導電性トレース、複数のワイヤ、または密閉空間２１８内の構成要素とプロセッサ７０の間の電気通信を確立するための他の適切な導体があり得る。図３に示されるように、連結具２６８は、カメラ２１２および／または光源基板２２８から延在し、第１の部分２３４内に画定された通路２７０に入ることができる。通路２７０は、第１の部分２３４から第２の部分２３６に延在することができる。この点に関して、コネクタ２３８は、それを通る連結具２６８の通過を容易にすることができる。たとえば、連結具２６８は第２の部分２３６を通過し、そこから出ることがある。連結具２６８としては、プロセッサ７０との電気通信を確立するために使用され得る密閉空間２１８内の構成要素と連通する端部に対向する端部においてコネクタがあり得る。たとえば、コネクタは、専有のコネクタまたは標準的コネクタ（たとえばＵＳＢコネクタなど）であってよい。
【００８４】
連結具２６８が複数の機能に電気通信経路を提供することができることに留意されたい。たとえば、信号経路および／または電力通信経路が連結具２６８に設けられてよい。この点に関して、複数の離散的な電気通信経路は、カメラ支持具２００から延在する単一のコードに統合されることがある。ワーク・ステーション４０に関して、特にワーク・ステーション４０を掃除することに関して、作業区域におけるワイヤの最小化によって、利点がもたらされることがある。すなわち、作業区域（層流フード、アイソレータ、または生物学的に安全なキャビネットなど）におけるワイヤが少ないほど、ワーク・ステーション４０の掃除が簡単になることがある。
【００８５】
そのうえ、たとえば、生物学的に安全なキャビネットに関して、カメラ・スタンドから延在するワイヤまたはケーブルを全体的に排除することが特に有利なことがあることが諒解されよう。たとえば、生物学的に安全なキャビネットは、外部環境からの完全な隔離を提供することができる。この点に関して、カメラ・スタンド２００がコードを含む場合、そのコードは、生物学的に安全なキャビネットの壁を通過することが必要とされることがある。しかしながら、最小レベルの封じ込めも維持されなければならず、これは、キャビネット壁を通るコードの通過を容易にしながら達成することが困難であるまたはコストがかかることがある。この点に関して、カメラ・スタンド２００は完全にワイヤレスであり得ることが企図されている。たとえば、ワイヤレス技術は、カメラ・スタンド２００に組み込まれて、カメラ・スタンド２００とプロセッサ７０の間の電子信号の通信を容易にすることができる。そのようなワイヤレス技術の例としては、Ｗｉ−Ｆｉ、ブルートゥース、または他のワイヤレス・バケーション（ｗｉｒｅｌｅｓｓ  ｖａｃａｔｉｏｎ）技術がある。そのうえ、カメラ・スタンド２００は、カメラ・スタンド２００に動作電力を提供するためにバッテリを装備することができる。このバッテリは、カメラ・スタンド２００のワイヤレス動作を容易にするために、着脱可能、交換可能、および／または再充電可能であってよい。たとえば、リチウム・イオン・バッテリまたは他の適切なタイプのバッテリがカメラ・スタンド２００内に設けられることがある。バッテリは、限定するものではないが、たとえば、基部９０、支持具９２、および／または密閉空間２１８を含むカメラ・スタンド２００の任意の部分に設けられる。
【００８６】
図１５をさらに参照すると、支持具９２の第１の部分２３４にカメラ２１２を取り付けるための仕組みが示されている。カメラ２１２は基部９０へのカメラ２１２の位置合わせに関連する画像許容差を生じやすいことが諒解されよう。基部９０におけるカメラ２１２間の位置合わせ不良により、キーストーニングなどの画像の歪みが生じることがある。この点に関して、基部９０のカメラ２１２間の位置合わせに関連する画像許容差が、カメラ２１２を使用して高品質の医学的用量調製画像を取得するために重要であることがある。しかしながら、カメラ・スタンド２００を含むさまざまな部品間の接続許容差を提供することに関連する製造上の考慮事項によって、製造中の正確なカメラ位置合わせを提供するために画像許容差を達成することが困難になることがある。すなわち、カメラ２１２は、カメラ・スタンド２００へのカメラ２１２の取り付けにおいて提供される接続許容差よりも制限の多い撮像許容差を含むことができる。たとえば、接続許容差が、とりわけ境界面、基部と支持具９２の第２の部分２３６の間、第１の部分２３４と第２の部分２３６の間、装着プレート３００の取り付け部と第１の部分２３４の間、カメラ２１２への境界面と関連する装着構造の間に導入されることがある。そのうえ、これらの境界面の各々に関連する許容差が、基部９０に対するカメラ２１２の位置合わせ不良をもたらし得る許容差積み重ね問題を呈することがあることが諒解されよう。
【００８７】
したがって、図１５に示されるように、装着プレート３００は、留め具３０２によって取り付け部材３０４に固着され得る。取り付け部材３０４は、留め具３０６によって第１の部分２３４に固着され得る。装着構造３１０は、装着プレート３００に固着され得る。カメラ２１２は、装着構造３１０に装着され得る。装着構造３１０と装着プレート３００の間の境界面は、ジンバル３２０を画定することができる。ジンバル３２０は、少なくとも第１の（および潜在的には、２つ、３つ、またそれ以上の）方向におけるカメラ２１２の調整可能な移動を可能にすることがある。ジンバル３２０は、装着構造３１０を装着プレート３００に対して調整可能に位置決めすることを可能にし得る１つまたは複数のジャック・ナット（ｊａｃｋ  ｎｕｔ）３２２を含むことができる。たとえば、ジャック・ナット３２２は、装着プレート３００に対する装着構造３１０の取り付けが、ねじ付き溶接スタッド３２３に沿って上下に調整され得る（たとえば、少なくとも２つの方向におけるカメラ２１２の移動を制御するために図１５に示される３つの場所で）ように、ねじ付き溶接スタッド３２３上に設けられた調整用ナット対を含むことができる。したがって、いったん取り付け構造３１０に固着されると、カメラ２１２は、ジャック・ナット３２２を操作して、カメラ２１２の方位を修正することによって調整され又は照準を定められ得る。
【００８８】
この点に関して、取り付け部材３０４がひとたび第１の部分２３４に固着されると、取り付け部材３０４に装着プレート３００が固着され、装着プレート３００に装着構造３１０が固着され、装着構造３１０にカメラ２１２が固着され、カメラ２１２の位置合わせは基部９０に垂直でないことがある（すなわち、撮像許容差が達成されないことがある）ことが諒解されよう。この点に関して、ジャック・ナット３２２は、カメラ２１２が基部９０に略垂直であるように位置合わせするように操作され得、したがって、カメラ２１２によって取得される結果として生じる画像から、キーストーニングなどの任意の画像歪みが排除され得る。言い換えれば、撮像許容差は、ジンバル３２０の調整を介して達成され得る。したがって、ジンバル３２０によって提供される調整の量は、少なくとも、接続許容差と、基部９０に対するカメラ２１２の位置合わせに関連する撮像許容差の差に対応することができる。
【００８９】
装着プレート３００および／または装着構造３１０はシート材料から製作され得ることが諒解されよう。この点に関して、これらの構成要素の製造業者は、許容差が比較的高いことが必要とされるときに用いられることがある他の製造技術よりも著しく低いコストで提供され得る。この点に関して、装着構造にひとたび固着されるとカメラ２１２の位置合わせの調整性を提供するジンバル３２０の使用により、カメラ・スタンド２００の製造時に用いられるコストがより低い製造技術が可能となり得る。
【００９０】
図１５に示されていないが、ハウジング２１０および／または透明シールド２１６が装着プレート３００および／または装着部材３０４に固着され得ることが諒解されよう。この点に関して、ハウジング２１０および／または透明シールド２１６は、装着プレート３００および／または装着部材３０４に対して固着されて、密閉区域２１８を画定することがある。
【００９１】
図１２をさらに参照すると、カメラ・スタンド２００の基部９０は、プラットフォーム基部２５４と、プラットフォーム基部２５４に対して着脱可能に配置可能な支持プラットフォーム２５６とを含むことができる。この点に関して、支持プラットフォーム２５６は、たとえば、掃除などを受けるために取り外されることがある。プラットフォーム基部２５４は、プラットフォーム基部２５４が配置される面と係合できる１つまたは複数の足２５８を含むことができる。たとえば、プラットフォームベース２５４は、基部９０を、延いてはカメラ・スタンド２００を面に固着するために使用され得る１つまたは複数の吸着カップ基部２７６を含むことができる。吸着カップ基部２７６は、面にしっかりした取り付けを提供し、カメラ・スタンド２００の安定した動作を提供することができる。すなわち、吸着カップ基部２７６は、振動を少なくとも部分的に隔離して、上記で説明した医学的用量調製画像を取り込むときにカメラ２１２によって取得される画像を改善することができる。支持プラットフォーム２５６は、耐ＵＶ材料から構築されてよい。
【００９２】
支持プラットフォーム２５６は、長さ２７２と、幅２７４とを有することができる。この点に関して、支持プラットフォーム２５６がプラットフォーム基部２５４上に配置されるとき、長さ２７２および幅２７４は、基部９０の寸法を定義することができる。長さ２７２および幅２７４は、支持プラットフォーム２５６によって少なくとも部分的に画定される医学的調整ステージング領域８６に対応することもできる。
【００９３】
さらに、図４を参照すると、ハウジング２１０の開口２１４の周辺領域が、第１の方向に支持プラットフォーム９０の長さ２７４に対応して延在することができることが諒解されよう。周辺領域は、支持具９２が図３に示される第１の位置にあるときと図８〜図９に示される第２の位置にあるときの両方で、第１の方向に基部９０の長さ２７４に対応して延在することができる。周辺領域は、支持具９２が第１の位置にあるとき、第２の方向に支持プラットフォーム２５６の幅２７４に対応して延在することができる。支持具が第２の位置（図９に最も良く示されている）にあるとき、周辺領域は、支持プラットフォーム２５６に垂直に延在する医学的用量調製領域８６の高さに対応して、ある方向に延在することができる。
【００９４】
プラットフォーム基部２５４は重量計を含むことができ、したがって、プラットフォーム基部２５４上に配置されたとき支持プラットフォーム２５６上に配置される物品は、計量され得る。たとえば、重量計によって測定される重量は、撮像デバイス８０による医学的用量調製画像の取り込みとほぼ同時に、取り込まれることがある。したがって、重量計によって得られる重量が、用量命令メタデータに付加されることがある。一実施形態では、プロセッサにおけるプロセッサ７０またはメタデータへのアクセスを有するリモート・プロセッサは、重量計によって測定された重量を使用して重量分析を実行し、たとえば、実測重量を医学的用量の予想重量と比較することができる。重量計は、プラットフォーム基部２５４内に（たとえば、プラットフォーム基部２５８の各足２５８のところに、または支持プラットフォーム２５６が支持されるところに隣接して、配置されたロード・セルを備えることができる。
【００９５】
この点に関して、医学的用量の予想重量は、薬剤容器１００の重量分析の助けとなるために、メタデータに含まれてよい。ワーク・ステーション４０におけるプロセッサ７０は、予想重量および実測重量を関連付けて格納することができる。そのうえ、プロセッサは、予想重量と実測重量を比較するように動作可能であることがある。一実施形態では、予想重量からの実際重量の偏差が計算されることがあり、偏差が閾値を超えた場合、アラームがユーザに提供されることがある。
【００９６】
支持プラットフォーム２５６は、薬剤調製ステージング領域８６を少なくとも部分的に画定することができる。たとえば、薬剤調製ステージング領域８６は、支持プラットフォーム２５４の支持面２６２に垂直な方向に延在する空間を包含することができる。したがって、支持プラットフォーム２５４によって支持可能に係合される容器は、その容器が撮像デバイス８０の撮像野内に配置されるように、薬剤調製ステージング領域８６によって包含されることがある。
【００９７】
支持プラットフォーム２５４は、支持プラットフォーム２５４に対して支持可能に配置される医療用容器と係合することができる１つまたは複数の薬剤容器係合機構も含むことができる。たとえば、薬剤容器係合機構は、少なくとも１つの溝２６４と、少なくとも１つのチャネル２６６とを含むことができる。図１３〜図１５をさらに参照すると、支持プラットフォーム２５４を備える説明した機構がさらに諒解されよう。溝２６４は、支持面２６２から第１の深さ延在することができる。チャネル２６６は、支持面２６２から第２の深さ延在することができる。第１の深さは、第２の深さよりも小さいことがある。すなわち、溝２６４は、支持面２６２から延在する深さに関して、チャネル２６６よりも浅いことがある。本明細書で説明する係合機構は、支持プラットフォーム２５４のほぼ全部を横切って延在することができ、次に、薬剤調製ステージング領域８６は、支持プラットフォーム２５４によって少なくとも部分的に画定され得る。一実施形態では、溝２６４の少なくとも一部分は、チャネル２６６の少なくとも一部分と異なる方向に延在する。たとえば、溝２６４の少なくとも一部分は、チャネル２６６に垂直に延在することがある。さらに、溝２６４の少なくとも一部分は、チャネル２６６に対応する方向に延在することがある。
【００９８】
溝２６４は、溝２６４が支持面２６２から延在する第１の深さと一致する方向に、第１の曲率半径を有することができる。この点に関して、溝２６４は、略凹状外形を有することができる。たとえば、凹状面外形は、溝２６４に沿って画定されることがある。同様に、チャネル２６６は、第２の深さと一致する方向に第２の曲率半径を含むことができる。この点に関して、チャネル２６６も、略凹状外形（たとえば凹状面外形）を有することができる。第１の曲率半径は、溝２６４がチャネル２６６のより急勾配の外径に対して、より浅い外径を含むように、第２の曲率半径よりも大きくてよい。
【００９９】
一実施形態では、溝２６４は、薬剤容器の第１の部分と係合するように適合され得る。たとえば、溝２６４の凹状面外形は、シリンジの筒の円周に一致することがある。この点に関して、シリンジ筒は、支持プラットフォーム２５６上に配置され溝２６４によって係合されるとき、シリンジの回転に対応するシリンジ筒の移動が制限され得るように、溝２６４に受け入れられ得る。同様の点に関して、チャネル２６６は、薬剤容器の第２の部分と係合するように適合され得る。たとえば、チャネル２６６の凹状面外形は、シリンジの指掛けに一致することがある。追加または代替として、チャネル２６６の凹状面外形は、プランジャ端に一致することがある。この点に関して、シリンジの筒が溝２６４に配置されるとき、シリンジの指掛けおよび／またはプランジャ端は、溝２６４の長さに沿ってシリンジの動きを制限し得るチャネル２６６によって係合され得る。したがって、シリンジは、シリンジが支持プラットフォーム２５６から誤って移動する（たとえば、摺動する、破壊される、または他の方法で移動させられる）可能性を減少させるために、少なくとも２つの自由度において制約され得る。溝２６４および／またはチャネル２６６の凹状面外形は、その回転運動を防止するために円筒状本体（たとえば、バイアル、瓶、または他の円筒状容器）を保持するように動作可能であり得ることも諒解されよう。
【０１００】
前述の本発明の説明は、例示および説明のために提示されている。そのうえ、説明は、本発明を本明細書で開示される形態に限定することを意図するものではない。したがって、上記の教示に相応する変形形態および変更形態、ならびに関連技術の技法および知識は、本発明の範囲に含まれる。先に説明した実施形態は、さらに、本発明を実施する既知のモードを説明し、当業者がそのような実施形態または他の実施形態において本発明の特定の適用例または使用法によって必要とされるさまざまな変更とともに本発明を利用することを可能にすることを意図する。添付の特許請求の範囲は、従来技術によって許容される範囲内で代替実施形態を含むと解釈されることが意図されている。
【図１】
2018064986.tif 000003
【図２】
2018064986.tif 000004
【図３】
2018064986.tif 000005
【図４】
2018064986.tif 000006
【図５】
2018064986.tif 000007
【図６】
2018064986.tif 000008
【図７】
2018064986.tif 000009
【図８】
2018064986.tif 000010
【図９】
2018064986.tif 000011
【図１０】
2018064986.tif 000012
【図１１】
2018064986.tif 000013
【図１２】
2018064986.tif 000014
【図１３】
2018064986.tif 000015
【図１４】
2018064986.tif 000016
【図１５】
2018064986.tif 000017
【手続補正書】
【提出日】平成29年12月25日(2017.12.25)
【手続補正１】
【補正対象書類名】特許請求の範囲
【補正対象項目名】全文
【補正方法】変更
【補正の内容】
【特許請求の範囲】
【請求項１】
医学的用量調製管理のためのシステムにおいて使用するためのワーク・ステーションであって、
基部と、
支持プラットフォームであって、前記支持プラットフォームは、薬剤調製ステージング領域を少なくとも部分的に画定し、且つ複数の溝を含む支持面を有し、ここで前記複数の溝の第一部分が前記支持面の幅に対応する第一方向に延びており、前記複数の溝の第二部分が前記支持面の長さに対応する第二方向に、前記複数の溝の第一部分に交差して延びている、該支持プラットフォームと、
撮像デバイスであって、前記撮像デバイスが前記基部に対して支持可能に配置されており、且つ前記薬剤調製ステージング領域の少なくとも一部分を包含する撮像野を有する、該撮像デバイスと
を備えるワーク・ステーション。
【請求項２】
請求項１のワーク・ステーションであって、
前記複数の溝の前記第一部分は、前記支持面の前記幅に対応する前記第一方向に延びる第一の複数の溝を含み、
前記複数の溝の前記第二部分は、前記支持面の長さに対応する前記第二方向に、前記第一の複数の溝に交差して延びる第二の複数の溝を含む、
該ワーク・ステーション。
【請求項３】
請求項１のワーク・ステーションであって、
前記複数の溝の前記第一部分が、前記複数の溝の前記第二部分に垂直に配置される、
該ワーク・ステーション。
【請求項４】
請求項２のワーク・ステーションであって、
前記複数の溝の前記第一部分は、前記支持面の前記幅に対応する前記第一方向に、前記支持面のほぼ全部を横切って延び、
前記複数の溝の前記第二部分は、前記支持面の長さに対応する前記第二方向に、前記支持面のほぼ全部を横切って延びる、
該ワーク・ステーション。
【請求項５】
請求項１のワーク・ステーションであって、
前記複数の溝のそれぞれが、第一の曲率半径を有する、対応する凹状面を画定する、
該ワーク・ステーション。
【請求項６】
請求項５のワーク・ステーションであって、
前記支持面が、前記支持面の前記長さに対応する前記第二方向に延びる複数のチャネルを更に含む、
該ワーク・ステーション。
【請求項７】
請求項６のワーク・ステーションであって、
前記複数のチャネルそれぞれが、第二の曲率半径を有する、対応する凹状面を画定し、前記第一の曲率半径が、前記第二の曲率半径よりも大きい、
該ワーク・ステーション。
【請求項８】
請求項７のワーク・ステーションであって、
前記支持面が、対応する基準平面を有する面を更に含み、
前記複数の溝が、前記基準平面から、第一の深さだけ延び、
前記複数のチャネルは、前記基準平面から、前記第一の深さよりも大きい第二の深さだけ延びる、
該ワーク・ステーション。
【請求項９】
請求項１のワーク・ステーションであって、
前記薬剤調製ステージング領域内で、支持面上に支持可能に配置される薬剤容器に対応する重量を出力する重量計を更に備える、
該ワーク・ステーション。
【請求項１０】
請求項９のワーク・ステーションであって、
前記重量計は、前記基部内に含まれる、
該ワーク・ステーション。
【請求項１１】
請求項１０のワーク・ステーションであって、
前記支持プラットフォームは、前記基部に着脱可能に配置される、
該ワーク・ステーション。
【請求項１２】
請求項９のワーク・ステーションであって、
前記重量計が、複数のロード・セルを備える、
該ワーク・ステーション。
【請求項１３】
請求項９のワーク・ステーションであって、
前記重量計と動作可能に通信するプロセッサと、
前記プロセッサと動作可能に通信するメモリと、
を更に備え、
前記プロセッサが、前記薬剤容器の予想重量と、前記重量とを比較するよう動作可能である、
該ワーク・ステーション。
【請求項１４】
請求項１３のワーク・ステーションであって、
前記重量及び前記予想重量が、医学的用量命令に対応するメタデータの一部として前記メモリに記憶される、
該ワーク・ステーション。
【請求項１５】
請求項１４のワーク・ステーションであって、
前記プロセッサが、前記予想重量に対する前記重量の偏差を計算するように動作可能である、
該ワーク・ステーション。
【請求項１６】
請求項１５のワーク・ステーションであって、
前記偏差が、閾値偏差値と比較され、前記偏差が閾値偏差値を超える場合、警告がユーザに提供される、
該ワーク・ステーション。
【請求項１７】
請求項１０のワーク・ステーションであって、
ハウジングであって、前記撮像デバイスが前記ハウジング内に少なくとも部分的に位置する、該ハウジングと、
前記撮像デバイスを前記基部と前記支持プラットフォームに対して支持可能に配置するための、前記基部と前記ハウジングの間に延在する支持部材と、
を更に備える、該ワーク・ステーション。
【請求項１８】
請求項１７のワーク・ステーションであって、透明シールドを更に備え、前記ハウジングと前記透明シールドが、前記撮像デバイスが中に配置される連続した外面と密閉空間とを集合的に画定する
該ワーク・ステーション。
【請求項１９】
請求項１８のワーク・ステーションであって、
前記透明シールドは、前記撮像デバイスの少なくともレンズに対応して、前記撮像デバイスの少なくとも一部分を覆い、前記撮像野が、前記透明シールドを通って延びる、
該ワーク・ステーション。
【請求項２０】
請求項１８のワーク・ステーションであって、前記撮像デバイスが、予め設定された少なくとも１つの固定された光学設定を有する、
該ワーク・ステーション。
【手続補正２】
【補正対象書類名】明細書
【補正対象項目名】０１００
【補正方法】変更
【補正の内容】
【０１００】
前述の本発明の説明は、例示および説明のために提示されている。そのうえ、説明は、本発明を本明細書で開示される形態に限定することを意図するものではない。したがって、上記の教示に相応する変形形態および変更形態、ならびに関連技術の技法および知識は、本発明の範囲に含まれる。先に説明した実施形態は、さらに、本発明を実施する既知のモードを説明し、当業者がそのような実施形態または他の実施形態において本発明の特定の適用例または使用法によって必要とされるさまざまな変更とともに本発明を利用することを可能にすることを意図する。添付の特許請求の範囲は、従来技術によって許容される範囲内で代替実施形態を含むと解釈されることが意図されている。
一側面において本発明は以下の発明を包含する。
（発明１）
医学的用量調製管理のためのシステム（１０）において使用するためのワーク・ステーション（４０）であって、
基部（９０）と、それに対して配置された薬剤調製ステージング領域（８６）と、
前記薬剤調製ステージング領域（８６）の少なくとも一部分を包含する撮像野（８４）を有する撮像デバイス（８０）であって、ハウジング（２１０）内に少なくとも部分的に位置する撮像デバイス（８０）と、
前記ハウジング（２１０）内に配置された少なくとも１つの光源（２３０）であって、前記薬剤調製ステージング領域（８６）に向かう方向に前記ハウジング（２１０）から光を放射するように動作可能な少なくとも１つの光源（２３０）と、
前記撮像デバイス（８０）を前記基部（９０）に対して支持可能に配置するための、前記基部（９０）と前記ハウジング（２１０）の間に延在する支持部材（９２）と
を備えるワーク・ステーション（４０）。
（発明２）
前記撮像デバイス（８０）と前記薬剤調製ステージング領域（８６）の間に配置された透明シールド（２１６）であって、前記撮像デバイス（８０）の少なくともレンズ（２２６）に対応する前記撮像デバイス（８０）の少なくとも一部分を覆い、前記撮像野（８４）が前記ハウジング（２１０）の開口（２１４）を通って延在する、透明シールド（２１６）と
をさらに備える、発明１に記載のワーク・ステーション（４０）。
（発明３）
前記撮像野（８４）が前記ハウジング（２１０）の開口（２１４）を通って延在し、前記透明シールド（２１６）が前記開口（２１４）の少なくとも一部分を覆う、発明２に記載のワーク・ステーション（４０）。
（発明４）
前記透明シールド（２１６）および前記ハウジング（２１０）が密閉空間（２１８）を画定する、発明２または３に記載のワーク・ステーション（４０）。
（発明５）
前記透明シールド（２１６）および前記ハウジング（２１０）が、前記密閉空間（２１８）のまわりに配置された連続した外面を画定する、発明２から４のいずれか一項に記載のワーク・ステーション（４０）。
（発明６）
前記撮像デバイス（８０）と前記薬剤調製ステージング領域（８６）の間に配置された第１の偏光フィルタ（２２２）
をさらに備える、発明１から５のいずれか一項に記載のワーク・ステーション（４０）。
（発明７）
前記光源（２３０）と前記薬剤調製ステージング領域（８６）の間に配置された第２の偏光（２２４）フィルタ
をさらに備える、発明６に記載のワーク・ステーション（４０）。
（発明８）
前記第１の偏光フィルタ（２２２）と前記第２の偏光（２２４）フィルタは、重複しない関係で配置される、発明７に記載のワーク・ステーション（４０）。
（発明９）
前記第１の偏光フィルタ（２２２）および前記第２の偏光フィルタ（２２４）は垂直な偏光方位を有する、発明７または８に記載のワーク・ステーション（４０）。
（発明１０）
前記透明シールド（２１６）の少なくとも一部分が前記第１の偏光フィルタまたは第２の偏光フィルタ（２２２、２２４）のうちの少なくとも１つを備える、発明７から９のいずれか一項に記載のワーク・ステーション（４０）。
（発明１１）
前記撮像デバイス（８０）が前記ハウジング開口（２１４）の中央領域内に配置され、周辺領域が前記中央領域のまわりに延在し、複数の光源（２３０）が前記周辺領域内に配置される、発明２から１０のいずれか一項に記載のワーク・ステーション（４０）。
（発明１２）
前記薬剤調製ステージング領域（８６）が前記基部（９０）によって少なくとも部分的に画定され、前記基部（９０）が長さと幅とを有し、前記周辺領域が前記基部（９０）の前記長さに対応する第１の方向に少なくとも延在する、発明１１に記載のワーク・ステーション（４０）。
（発明１３）
前記周辺領域が、前記基部（９０）の前記幅または前記基部（９０）から延在する前記医学的用量調製ステージング領域（８６）の高さのうちの１つに対応する第２の方向に少なくとも延在する、発明１２に記載のワーク・ステーション（４０）。
（発明１４）
前記撮像デバイス（８０）によって出力されたビデオ・データ・ストリームからの医学的用量調製画像の取り込みを開始するために、ユーザ入力を受け取るためのユーザ制御デバイス（１３０）
をさらに備え、
前記少なくとも１つの光源（２３０）の強度が、前記医学的用量調製画像の前記取り込みの後に第１の所定の期間で放射される光の修正された強度に放射される光のデフォルト強度から自動的に修正される、発明１から１３のいずれか一項に記載のワーク・ステーション（４０）。
（発明１５）
前記少なくとも１つの光源（２３０）が、前記第１の所定の期間の後の第２の所定の期間に、前記光の修正された強度から前記光のデフォルト強度に自動的に戻される、発明１４に記載のワーク・ステーション（４０）。
（発明１６）
前記撮像デバイス（８０）が少なくとも１つの固定された光学設定を有し、前記少なくとも１つの固定された光学設定があらかじめ設定される、発明１から１５のいずれか一項に記載のワーク・ステーション（４０）。
（発明１７）
前記あらかじめ設定された、固定された光学設定は、前記医学的用量調製ステージング領域（８６）のほぼ全体を包含するフィールドの深さに対応する、発明１６に記載のワーク・ステーション（４０）。
（発明１８）
前記支持部材（９２）が、前記薬剤調製ステージング領域（８６）に対して少なくとも第１の位置および第２の位置に選択的に位置決め可能である、発明１から１７のいずれか一項に記載のワーク・ステーション（４０）。
（発明１９）
前記支持部材（９２）が前記第１の位置と前記第２の位置の間で移動可能である、発明１８に記載のワーク・ステーション（４０）。
（発明２０）
前記支持部材（９２）が、前記薬剤調製ステージング領域（８６）に対して複数の異なる位置に選択的に位置決め可能である、発明１８または１９に記載のワーク・ステーション（４０）。
（発明２１）
前記支持部材（９２）が、前記基部（９０）に取り付けられた第１の部分（２３４）と、前記ハウジング（２１０）に取り付けられた第２の部分（２３６）とを備え、前記第２の部分（２３６）が、前記第１の部分（２３４）に対して前記第１の位置と前記第２の位置の間で移動可能である、発明１８から２０のいずれか一項に記載のワーク・ステーション（４０）。
（発明２２）
前記第１の部分（２３４）が蝶番式接着により前記第２の部分（２３６）に接続される、発明２１に記載のワーク・ステーション（４０）。
（発明２３）
前記第１の部分（２３４）および前記第２の部分（２３６）が前記第１の位置と前記第２の位置の間で枢動可能に配置可能である、発明２１または２２に記載のワーク・ステーション（４０）。
（発明２４）
前記支持部材（９２）が前記第１の位置にあるとき、前記撮像野（８４）が、前記撮像デバイス（８０）と前記基部（９０）の間に延在して前記医学的用量調製ステージング領域（８６）の少なくとも一部分を包含し、前記支持部材（９２）が前記第２の位置にあるとき、前記撮像野（８４）は、前記基部（９０）の前記支持面と平行な方向に延在して前記医学的用量調製ステージング領域（８６）の少なくとも一部分を包含する、発明１８から２３のいずれか一項に記載のワーク・ステーション（４０）。
（発明２５）
前記第１の位置と前記第２の位置の間の前記支持部材（９２）の移動が緩衝される、発明１８から２４のいずれか一項に記載のワーク・ステーション（４０）。
（発明２６）
前記支持部材（９２）内に少なくとも部分的に配置される連結具（２６８）であって、信号通信経路および電力通信経路のうちの少なくとも１つを含む連結具（２６８）
をさらに備える、発明１から２５のいずれか一項に記載のワーク・ステーション（４０）。
（発明２７）
前記連結具（２６８）がプロセッサと通信動作可能である、発明２６に記載のワーク・ステーション（４０）。
（発明２８）
前記基部（９０）が長さと幅とを有し、前記支持部材（９２）が、前記幅に沿って延在する前記基部（９０）の縁に隣接して前記基部（９０）から延在する、発明１から２７のいずれか一項に記載のワーク・ステーション（４０）。
（発明２９）
前記ワーク・ステーション（４０）が層流フード内に配置され、空気の流れが前記基部（９０）の前記幅に対応する方向と平行である、発明２８に記載のワーク・ステーション（４０）。
（発明３０）
前記基部（９０）に対して着脱可能に配置可能な支持プラットフォーム（２５６）であって、前記薬剤調製ステージング領域（８６）を画定し、支持プラットフォーム（２５６）の支持面（２６２）は、複数の薬剤容器係合機構を画定する、支持プラットフォーム（２５６）
をさらに備える、発明１から２９のいずれか一項に記載のワーク・ステーション（４０）。
（発明３１）
前記複数の薬剤容器係合機構が、前記支持プラットフォーム（２５６）の長さに対応する第１の方向に延在する少なくとも１つのチャネル（２６６）を備える、発明３０に記載のワーク・ステーション（４０）。
（発明３２）
前記少なくとも１つのチャネル（２６６）が前記支持プラットフォーム（２５６）の前記支持面（２６２）の前記長さほぼ全体に沿って延在し、前記複数の薬剤容器係合機構が、前記支持プラットフォーム（２５６）の幅に対応する第２の方向に延在する少なくとも１つの溝（２６４）を備え、前記少なくとも１つの溝（２６４）が、前記支持プラットフォーム（２５６）の前記支持面（２６２）の前記幅ほぼ全体に沿って延在する、発明３１に記載のワーク・ステーション（４０）。
（発明３３）
前記支持プラットフォーム（２５６）が耐ＵＶ材料から作製される、発明３０から３２のいずれか一項に記載のワーク・ステーション（４０）。
（発明３４）
前記撮像デバイス（８０）が前記撮像野（８４）のビデオ・データ・ストリームを出力するように動作可能であり、
プロセッサが、前記撮像野（８４）の前記ビデオ・データ・ストリームを受け取るために、前記撮像デバイス（８０）と動作可能に通信し、
ユーザ制御デバイス（１３０）が、前記ユーザ制御デバイス（１３０）で受け取られたユーザ入力に応答して前記ビデオ・データ・ストリームからの医学的用量調製画像の取り込みを開始するために、前記プロセッサと動作可能に通信し、
重量計が、前記プロセッサと動作可能に通信し、前記薬剤調製ステージング領域（８６）内で支持可能に配置される薬剤容器（１００）に対応する重量を出力するように動作可能であり、
前記ユーザ入力の受け取り時、前記重量が、前記医学的用量調製画像の前記取り込みとほぼ同時に前記重量計から前記プロセッサによって記録される、
発明１から３３のいずれか一項に記載のワーク・ステーション（４０）。
（発明３５）
前記プロセッサと通信動作可能であるメモリ
をさらに備え、
前記重量および前記医学的用量調製画像が前記メモリに格納される、発明３４に記載のワーク・ステーション（４０）。
（発明３６）
前記プロセッサが前記薬剤容器（１００）の予想重量と前記重量を比較するように動作可能であり、前記プロセッサは前記予想重量に対する前記重量の偏差を計算するように動作可能であり、前記偏差は、前記重量および前記医学的用量調製画像とともに前記メモリに関連付けて格納される、発明３５に記載のワーク・ステーション（４０）。
（発明３７）
前記偏差が閾値偏差と比較され、前記偏差が閾値偏差を超えるとき、警告がユーザに提供される、発明３６に記載のワーク・ステーション（４０）。
（発明３８）
前記基部（９０）、前記撮像デバイス（８０）、および前記重量計が、移動のために単一ユニットとして相互接続される、発明３４から３７のいずれか一項に記載のワーク・ステーション（４０）。
（発明３９）
前記基部（９０）に対して配置され、基準平面を画定する支持面（２６２）と、
前記支持面（２６２）内で画定され、前記基準平面から第１の深さ延在する少なくとも１つの溝（２６４）と、
前記支持面（２６２）内で画定され、前記基準平面から第２の深さ延在する少なくとも１つのチャネル（２６６）と、
をさらに備え、
前記溝（２６４）および前記チャネル（２６６）が、前記薬剤調製ステージング領域（８６）内に配置された薬剤容器（１００）と係合するように動作可能である、発明１から２９のいずれか一項または発明１〜２９のいずれか一項に記載のワーク・ステーション（４０）。
（発明４０）
前記第１の深さが前記第２の深さよりも小さく、前記溝（２６４）が、前記基準平面から前記第１の深さまで延在する第１の凹状面を備える、発明３９に記載のワーク・ステーション（４０）。
（発明４１）
前記チャネル（２６６）が、前記基準平面から前記第２の深さまで延在する第２の凹状面を備える、発明４０に記載のワーク・ステーション（４０）。
（発明４２）
前記第１の凹状面が、前記第２の凹状面の第２の曲率半径よりも大きい第１の曲率半径を有する、発明４１に記載のワーク・ステーション（４０）。
（発明４３）
前記複数の溝（２６４）のうちの少なくとも１つが前記チャネル（２６６）のうちの少なくとも１つに垂直に配置される、発明４１または４２に記載のワーク・ステーション（４０）。
（発明４４）
前記複数の溝（２６４）のうちの少なくとも１つが、前記支持面（２６２）の幅に対応する第１の方向に前記支持面（２６２）のほぼ全部にわたって延在し、前記複数のチャネル（２６６）のうちの少なくとも１つが、前記支持面（２６２）の長さに対応する第２の方向に前記支持面（２６２）のほぼ全部にわたって延在する、発明３９から４３のいずれか一項に記載のワーク・ステーション（４０）。
（発明４５）
前記撮像デバイスが、前記薬剤調製ステージング領域（８６）に対して前記撮像デバイスを調整可能に位置決めするために、ジンバル（３２０）で前記支持部材（９２）と支持可能に係合する、発明１から４４のいずれか一項に記載のワーク・ステーション（４０）。
（発明４６）
前記ジンバル（３２０）が、前記支持部材（９２）に固着された装着構造（３１０）に装着される、発明４５に記載のワーク・ステーション（４０）。
（発明４７）
前記装着構造（３１０）が、シート材料から製作された部材を少なくとも部分的に備える、発明４６に記載のワーク・ステーション（４０）。
（発明４８）
前記支持部材（９２）または前記装着構造（３１０）のうちの少なくとも１つが、許容差を有する接続を含み、前記許容差を有する接続が、前記装着構造（３１０）に対する前記撮像デバイスの位置合わせに関する撮像許容差よりも大きい接続許容差を含む、発明４５から４７のいずれか一項に記載のワーク・ステーション（４０）。
（発明４９）
前記ジンバル（３２０）が、前記接続許容差と前記画像許容差の差に少なくとも対応する可動域によって調整可能である、発明４５から４８のいずれか一項に記載のワーク・ステーション（４０）。
（発明５０）
医学的用量調製管理のためのシステム（１０）において使用するためのワーク・ステーション（４０）であって、
薬剤容器（１００）と支持可能に係合するように動作可能な薬剤調製ステージング領域（８６）と、
前記薬剤調製ステージング領域（８６）の少なくとも一部分を包含する撮像野（８４）を有する撮像デバイス（８０）であって、ハウジング（２１０）内に少なくとも部分的にあり、少なくとも１つの固定された光学設定を有する撮像デバイス（８０）と、
前記ハウジング（２１０）内に配置された少なくとも１つの光源（２３０）であって、前記薬剤調製ステージング領域（８６）に向かう方向に前記ハウジング（２１０）から光を放射するように動作可能な少なくとも１つの光源（２３０）と、
前記撮像デバイス（８０）と前記薬剤調製ステージング領域（８６）の間に配置された透明シールド（２１６）であって、前記撮像デバイス（８０）の少なくともレンズ（２２６）に対応する前記撮像デバイス（８０）の少なくとも一部分を覆う透明シールド（２１６）と
を備えるワーク・ステーション（４０）。
（発明５１）
前記撮像野（８４）が前記ハウジング（２１０）の開口（２１４）を通って延在する、発明５０に記載のワーク・ステーション（４０）。
（発明５２）
前記透明シールド（２１６）が前記開口（２１４）の少なくとも一部分を覆う、発明５１に記載のワーク・ステーション（４０）。
（発明５３）
前記透明シールド（２１６）が前記開口（２１４）のほぼ全部を覆う、発明５２に記載のワーク・ステーション（４０）。
（発明５４）
前記透明シールド（２１６）および前記ハウジング（２１０）が密閉空間（２１８）を画定する、発明５０から５３のいずれか一項に記載のワーク・ステーション（４０）。
（発明５５）
前記透明シールド（２１６）および前記ハウジング（２１０）が、前記密閉空間（２１８）のまわりに配置された連続した外面を画定する、発明５４に記載のワーク・ステーション（４０）。
（発明５６）
前記撮像デバイス（８０）と前記薬剤調製ステージング領域（８６）の間に配置された第１の偏光フィルタ（２２２）
をさらに備える、発明５０から５５のいずれか一項に記載のワーク・ステーション（４０）。
（発明５７）
前記光源（２３０）と前記薬剤調製ステージング領域（８６）の間に配置された第２の偏光フィルタ（２２４）
をさらに備える、発明５６に記載のワーク・ステーション（４０）。
（発明５８）
前記第１の偏光フィルタ（２２２）と前記第２の偏光フィルタ（２２４）は、重複しない関係で配置される、発明５７に記載のワーク・ステーション（４０）。
（発明５９）
前記第１の偏光フィルタ（２２２）および前記第２の偏光フィルタ（２２４）は垂直な偏光方位を有する、発明５７または５８に記載のワーク・ステーション（４０）。
（発明６０）
前記透明シールド（２１６）の少なくとも一部分が前記第１の偏光フィルタまたは第２の偏光フィルタ（２２２、２２４）のうちの少なくとも１つを備える、発明５６から５９のいずれか一項に記載のワーク・ステーション（４０）。
（発明６１）
前記撮像デバイス（８０）が前記ハウジング開口（２１４）の中央領域内に配置され、周辺領域が前記中央領域のまわりに延在し、複数の光源（２３０）が前記周辺領域内に配置される、発明５１から６０のいずれか一項に記載のワーク・ステーション（４０）。
（発明６２）
前記薬剤調製ステージング領域（８６）が、長さと幅とを有する基部（９０）によって少なくとも部分的に画定される、発明５１から６１のいずれか一項に記載のワーク・ステーション（４０）。
（発明６３）
前記周辺領域が、前記基部（９０）の前記長さに対応する第１の方向に少なくとも延在する、発明６２に記載のワーク・ステーション（４０）。
（発明６４）
前記周辺領域が、前記基部（９０）の前記幅または前記基部（９０）から延在する前記医学的用量調製ステージング領域（８６）の高さのうちの１つに対応する第２の方向に少なくとも延在する、発明６３に記載のワーク・ステーション（４０）。
（発明６５）
前記撮像デバイス（８０）によって出力されたビデオ・データ・ストリームからの医学的用量調製画像の取り込みを開始するために、ユーザ入力を受け取るためのユーザ制御デバイス（１３０）
をさらに備え、
前記少なくとも１つの光源（２３０）の強度が、前記医学的用量調製画像の前記取り込みの後に第１の所定の期間で放射される光の修正された強度に放射される光のデフォルト強度から自動的に修正される、発明５０から６４のいずれか一項に記載のワーク・ステーション（４０）。
（発明６６）
前記少なくとも１つの光源（２３０）が、前記第１の所定の期間の後の第２の所定の期間に、前記光の修正された強度から前記光のデフォルト強度に自動的に戻される、発明６５に記載のワーク・ステーション（４０）。
（発明６７）
少なくとも１つの固定された光学設定があらかじめ設定される、発明５０から６６のいずれか一項に記載のワーク・ステーション（４０）。
（発明６８）
前記あらかじめ設定された、固定された光学設定は、前記医学的用量調製ステージング領域（８６）全体を実質的に包含するフィールドの深さに対応する、発明６７に記載のワーク・ステーション（４０）。
（発明６９）
前記少なくとも１つの固定された光学設定がアパーチャ設定および焦点設定のうちの少なくとも１つを含む、発明６７または６８に記載のワーク・ステーション（４０）。
（発明７０）
医学的用量調製管理のためのシステム（１０）において使用するためのワーク・ステーション（４０）であって、
薬剤容器（１００）と支持可能に係合するように動作可能な薬剤調製ステージング領域（８６）と、
前記薬剤調製ステージング領域（８６）の少なくとも一部分を包含する撮像野（８４）を有する撮像デバイス（８０）であって、ハウジング（２１０）内に少なくとも部分的に位置する撮像デバイス（８０）と、
前記ハウジング（２１０）内に配置された少なくとも１つの光源（２３０）であって、前記薬剤調製ステージング領域（８６）に向かう方向に前記ハウジング（２１０）から光を放射するように動作可能な少なくとも１つの光源（２３０）と、
前記撮像デバイス（８０）と前記薬剤調製ステージング領域（８６）の間に配置された第１の偏光フィルタ（２２２）と、
前記少なくとも１つの光源（２３０）と前記薬剤調製ステージング領域（８６）の間に配置された第２の偏光フィルタ（２２４）と
を備えるワーク・ステーション（４０）。
（発明７１）
前記撮像野（８４）が前記ハウジング（２１０）の開口（２１４）を通って延在する、発明７０に記載のワーク・ステーション（４０）。
（発明７２）
前記第１の偏光フィルタ（２２２）と前記第２の偏光フィルタ（２２４）は、重複しない関係で配置される、発明７０または７１に記載のワーク・ステーション（４０）。
（発明７３）
前記第１の偏光フィルタ（２２２）および前記第２の偏光フィルタ（２２４）が前記ハウジング（２１０）の前記開口（２１４）の少なくとも一部分を覆う、発明７１または７２に記載のワーク・ステーション（４０）。
（発明７４）
前記第１の偏光フィルタ（２２２）および前記第２の偏光フィルタ（２２４）は垂直な偏光方位を有する、発明７０から７３のいずれか一項に記載のワーク・ステーション（４０）。
（発明７５）
前記撮像デバイス（８０）が前記ハウジング開口（２１４）の中央領域内に配置され、周辺領域が前記中央領域のまわりに延在し、複数の光源（２３０）が前記周辺領域内に配置される、発明７１から７４のいずれか一項に記載のワーク・ステーション（４０）。
（発明７６）
前記薬剤調製ステージング領域（８６）が、長さと幅とを有する基部（９０）によって少なくとも部分的に画定される、発明７０から７５のいずれか一項に記載のワーク・ステーション（４０）。
（発明７７）
前記周辺領域が、前記基部（９０）の前記幅に対応する第１の方向に少なくとも延在する、発明７６に記載のワーク・ステーション（４０）。
（発明７８）
前記周辺領域が、前記基部（９０）の前記長さまたは前記基部（９０）から延在する前記医学的用量調製ステージング領域（８６）の高さのうちの１つに対応する第２の方向に少なくとも延在する、発明７７に記載のワーク・ステーション（４０）。
（発明７９）
前記撮像デバイス（８０）が少なくとも１つの固定された光学設定を有する、発明７０から７８のいずれか一項に記載のワーク・ステーション（４０）。
（発明８０）
医学的用量調製管理のためのシステム（１０）において使用するためのワーク・ステーション（４０）であって、
長さと、幅とを有する基部（９０）と、
前記基部（９０）に対して配置された薬剤調製ステーション領域と、
ハウジング（２１０）内に配置され、前記薬剤調製ステージング領域（８６）の少なくとも一部分を包含する撮像野（８４）を有する撮像デバイス（８０）と、
前記撮像デバイス（８０）を前記基部（９０）に対して支持可能に配置するための、前記基部（９０）と前記ハウジング（２１０）の間に延在する支持部材（９２）であって、前記薬剤調製ステージング領域（８６）に対して少なくとも第１の位置および第２の位置に選択的に位置決め可能な支持部材（９２）と
を備えるワーク・ステーション（４０）。
（発明８１）
前記支持部材（９２）が前記第１の位置と前記第２の位置の間で移動可能である、発明８０に記載のワーク・ステーション（４０）。
（発明８２）
前記支持部材（９２）が、前記薬剤調製ステージング領域（８６）に対して複数の異なる位置に選択的に位置決め可能である、発明８０または８１に記載のワーク・ステーション（４０）。
（発明８３）
前記支持部材（９２）が、前記基部（９０）に取り付けられた第１の部分（２３４）と、前記ハウジング（２１０）に取り付けられた第２の部分（２３６）とを備え、前記第２の部分（２３６）が、前記第１の部分（２３４）に対して前記第１の位置と前記第２の位置の間で移動可能である、発明８１に記載のワーク・ステーション（４０）。
（発明８４）
前記第１の部分（２３４）が蝶番式接着により前記第２の部分（２３６）に接続される、発明８３に記載のワーク・ステーション（４０）。
（発明８５）
前記第１の部分（２３４）および前記第２の部分（２３６）が前記第１の位置と前記第２の位置の間で枢動可能に配置可能である、発明８３または８４に記載のワーク・ステーション（４０）。
（発明８６）
前記基部（９０）が、前記長さおよび前記幅に沿って延在する支持面（２６２）を備える、発明８０から８５のいずれか一項に記載のワーク・ステーション（４０）。
（発明８７）
前記支持部材（９２）が前記第１の位置にあるとき、前記撮像野（８４）が、前記撮像デバイス（８０）と前記基部（９０）の間に延在して前記医学的用量調製ステージング領域（８６）の少なくとも一部分を包含し、前記支持部材（９２）が前記第２の位置にあるとき、前記撮像野（８４）は、前記基部（９０）の前記支持面（２６２）と平行な方向に延在して前記医学的用量調製ステージング領域（８６）の少なくとも一部分を包含する、発明８６に記載のワーク・ステーション（４０）。
（発明８８）
前記第１の位置と前記第２の位置の間の移動が緩衝される、発明８０から８７のいずれか一項に記載のワーク・ステーション（４０）。
（発明８９）
前記支持部材（９２）内に少なくとも部分的に配置された連結具（２６８）
をさらに備える、発明８０から８８のいずれか一項に記載のワーク・ステーション（４０）。
（発明９０）
前記連結具（２６８）が信号通信経路および電力通信経路のうちの少なくとも１つを含む、発明８９に記載のワーク・ステーション（４０）。
（発明９１）
前記連結具（２６８）がプロセッサと通信動作可能である、発明８９または９０に記載のワーク・ステーション（４０）。
（発明９２）
前記支持部材（９２）が、前記幅に沿って延在する前記基部（９０）の縁に隣接して前記基部（９０）から延在する、発明８０から９１のいずれか一項に記載のワーク・ステーション（４０）。
（発明９３）
前記ワーク・ステーション（４０）が層流フード内に配置され、空気の流れが前記基部（９０）の前記幅に対応する方向と平行である、発明８０から９２のいずれか一項に記載のワーク・ステーション（４０）。
（発明９４）
医学的用量調製管理のためのシステム（１０）において使用するためのワーク・ステーション（４０）であって、
基部（９０）と、
前記基部（９０）に対して着脱可能に配置可能な支持プラットフォーム（２５６）であって、薬剤調製ステージング領域（８６）を画定する支持プラットフォーム（２５６）と、
複数の薬剤容器係合機構を画定する前記支持プラットフォーム（２５６）の支持面（２６２）と、
前記基部（９０）に対して支持可能に係合可能であり、前記薬剤調製ステージング領域（８６）の少なくとも一部分を包含する撮像野（８４）を有する撮像デバイス（８０）と
を備えるワーク・ステーション（４０）。
（発明９５）
前記複数の薬剤容器係合機構が、前記支持プラットフォーム（２５６）の長さに対応する第１の方向に延在する少なくとも１つのチャネル（２６６）を備える、発明９４に記載のワーク・ステーション（４０）。
（発明９６）
前記少なくとも１つのチャネル（２６６）が前記支持プラットフォーム（２５６）の前記支持面（２６２）の前記長さほぼ全部に沿って延在する、発明９５に記載のワーク・ステーション（４０）。
（発明９７）
前記複数の薬剤容器係合機構が、前記支持プラットフォーム（２５６）の幅に対応する第２の方向に延在する少なくとも１つの溝（２６４）を備える、発明９５または９６に記載のワーク・ステーション（４０）。
（発明９８）
前記少なくとも１つの溝（２６４）が前記支持プラットフォーム（２５６）の前記支持面（２６２）の前記幅ほぼ全部に沿って延在する、発明９７に記載のワーク・ステーション（４０）。
（発明９９）
前記支持プラットフォーム（２５６）が耐ＵＶ材料から作製される、発明９４から９８のいずれか一項に記載のワーク・ステーション（４０）。
（発明１００）
医学的用量調製管理のためのシステム（１０）において使用するためのワーク・ステーション（４０）であって、
基部（９０）と、
前記基部（９０）に対して配置され、少なくとも１つの薬剤容器（１００）と支持するように係合するように動作可能な薬剤調製ステージング領域（８６）と、
前記薬剤調製ステージング領域（８６）の少なくとも一部分を包含する撮像野（８４）を有する撮像デバイス（８０）であって、前記撮像野（８４）のビデオ・データ・ストリームを出力するように動作可能な撮像デバイス（８０）と、
前記撮像野（８４）の前記ビデオ・データ・ストリームを受け取るために、前記撮像デバイス（８０）と通信動作可能なプロセッサと、
ユーザ制御デバイス（１３０）で受け取られたユーザ入力に応答して前記ビデオ・データ・ストリームからの医学的用量調製画像の取り込みを開始するために、前記プロセッサと通信動作可能なユーザ制御デバイス（１３０）と、
前記プロセッサと動作可能に通信し、前記薬剤調製ステージング領域（８６）内で支持可能に配置される薬剤容器（１００）に対応する重量を出力するように動作可能な重量計と
を備え、
前記ユーザ入力の受け取り時、前記重量が、前記医学的用量調製画像の前記取り込みとほぼ同時に前記重量計から前記プロセッサによって記録される、ワーク・ステーション（４０）。
（発明１０１）
前記プロセッサと通信動作可能なメモリと、
をさらに備え、
前記重量および前記医学的用量調製画像が前記メモリに格納される、発明１００に記載のワーク・ステーション（４０）。
（発明１０２）
前記重量および前記医学的用量調製画像が前記メモリに関連付けて格納される、発明１０１に記載のワーク・ステーション（４０）。
（発明１０３）
前記プロセッサが、前記重量を前記薬剤容器（１００）の予想重量と比較するように動作可能である、発明１０１または１０２に記載のワーク・ステーション（４０）。
（発明１０４）
前記プロセッサが、前記予想重量に対する前記重量の偏差を計算するように動作可能である、発明１０３に記載のワーク・ステーション（４０）。
（発明１０５）
前記偏差が、前記重量および前記医学的用量調製画像とともに前記メモリ内に関連付けて格納される、発明１０４に記載のワーク・ステーション（４０）。
（発明１０６）
前記偏差が閾値偏差と比較され、前記偏差が閾値偏差を超えるとき、警告がユーザに提供される、発明１０４または１０５に記載のワーク・ステーション（４０）。
（発明１０７）
前記基部（９０）、前記撮像デバイス（８０）、および前記重量計が、移動のために単一ユニットとして相互接続される、発明１００から１０６のいずれか一項に記載のワーク・ステーション（４０）。
（発明１０８）
医学的用量調製管理のためのシステム（１０）において使用するためのワーク・ステーション（４０）であって、
基部（９０）と、
前記基部（９０）に対して配置され、基準平面を画定する支持面（２６２）と、
前記支持面（２６２）に対して配置され、少なくとも前記基準平面の一部分を包含する薬剤調製ステージング領域（８６）と、
前記基部（９０）に対して支持可能に係合可能であり、前記薬剤調製ステージング領域（８６）の少なくとも一部分を包含する撮像野（８４）を有する撮像デバイス（８０）と、
前記支持面（２６２）内で画定され、前記基準平面から第１の深さ延在する少なくとも１つの溝（２６４）と、
前記支持面（２６２）内で画定され、前記基準平面から第２の深さ延在する少なくとも１つのチャネル（２６６）と、
を備え、
前記溝（２６４）および前記チャネル（２６６）が、前記薬剤調製ステージング領域（８６）内に配置された薬剤容器（１００）と係合するように動作可能である、ワーク・ステーション（４０）。
（発明１０９）
前記第１の深さが前記第２の深さよりも小さい、発明１０８に記載のワーク・ステーション（４０）。
（発明１１０）
前記溝（２６４）が、前記基準平面から前記第１の深さまで延在する第１の凹状面を備える、発明１０８または１０９に記載のワーク・ステーション（４０）。
（発明１１１）
前記チャネル（２６６）が、前記基準平面から前記第２の深さまで延在する第２の凹状面を備える、発明１１０に記載のワーク・ステーション（４０）。
（発明１１２）
前記第１の凹状面が、前記第２の凹状面の第２の曲率半径よりも大きい第１の曲率半径を有する、発明１１１に記載のワーク・ステーション（４０）。
（発明１１３）
複数の溝（２６４）と、
複数のチャネル（２６６）と
をさらに備える、発明１０８から１１２のいずれか一項に記載のワーク・ステーション（４０）。
（発明１１４）
前記複数の溝（２６４）のうちの少なくとも１つが前記チャネル（２６６）のうちの少なくとも１つに垂直に配置される、発明１１３に記載のワーク・ステーション（４０）。
（発明１１５）
前記複数の溝（２６４）のうちの少なくとも１つが、前記支持面（２６２）の幅に対応する第１の方向に前記支持面（２６２）のほぼ全部にわたって延在する、発明１１３または１１４に記載のワーク・ステーション（４０）。
（発明１１６）
前記複数のチャネル（２６６）のうちの少なくとも１つが、前記支持面（２６２）の長さに対応する第２の方向に前記支持面（２６２）のほぼ全部にわたって延在する、発明１１５に記載のワーク・ステーション（４０）。
（発明１１７）
医学的用量調製管理のためのシステム（１０）において使用するためのワーク・ステーション（４０）であって、
長さと、幅とを有する基部（９０）と、
前記基部（９０）に対して配置された薬剤調製ステーション領域と、
ハウジング（２１０）内に配置され、前記薬剤調製ステージング領域（８６）の少なくとも一部分を包含する撮像野（８４）を有する撮像デバイス（８０）と、
前記基部（９０）に対して前記撮像デバイス（８０）を支持可能に配置するための、前記基部（９０）と前記撮像デバイス（８０）の間に延在する支持部材（９２）であって、前記撮像デバイスが、前記薬剤調製ステージング領域（８６）に対して前記撮像デバイスを調整可能に位置決めするために、ジンバル（３２０）で前記支持部材（９２）と支持可能に係合する、支持部材（９２）と
を備えるワーク・ステーション（４０）。
（発明１１８）
前記ジンバル（３２０）が、前記支持部材（９２）に固着された装着構造（３１０）に装着される、発明１１７に記載のワーク・ステーション（４０）。
（発明１１９）
前記装着構造（３１０）が、シート材料からを製作された部材を少なくとも部分的に備える、発明１１８に記載のワーク・ステーション（４０）。
（発明１２０）
前記支持部材（９２）または前記装着構造（３１０）のうちの少なくとも１つが、許容差を有する接続を含み、前記許容差を有する接続が、前記装着構造（３１０）に対する前記撮像デバイスの位置合わせに関する撮像許容差よりも大きい接続許容差を含む、発明１１８または１１９に記載のワーク・ステーション（４０）。
（発明１２１）
前記ジンバル（３２０）が、前記接続許容差と前記画像許容差の差に少なくとも対応する可動域によって調整可能である、発明１２０に記載のワーク・ステーション（４０）。
【外国語明細書】
2018064986000001.pdf